(57)【要約】【課題】省電力状態であるときに外部装置から通信手段を通じて機器情報の処理要求を受信した場合に、その要求に対応する処理を、省電力状態が解除されるのを待って実行可能とすることにより、従来よりも電力消費を抑えることができる画像処理装置を提供すること。【解決手段】機器情報を保持する機能ブロックである制御部６〜９が通電無し状態であるときに、ＮＩＣ５により外部装置から機器情報処理要求が受信された場合に、その機器情報処理要求をＮＩＣ５のフラッシュメモリに記憶させ、その後、制御部６〜９が通電有り状態となった場合に、ＮＩＣ５は、フラッシュメモリ６６に記憶されている機器情報処理要求のうち、制御部６〜９が通電有り状態となったことにより実行可能となったものに対応する処理が実行されるよう制御する。【選択図】図４
2007267235.tif 000002
【特許請求の範囲】
【請求項１】
所定の機器情報を保持する記憶部を備えた部品若しくは部品の集合である情報保持機器と、該情報保持機器が保持する前記機器情報について所定の処理を求める機器情報処理要求を外部装置から受信する通信手段と、該通信手段により受信された前記機器情報処理要求に対応する処理を実行する機器情報処理手段とを備えた画像処理装置であって、
前記情報保持機器が通電無し状態であるときに、前記通信手段により前記外部装置から前記機器情報処理要求が受信された場合に、該機器情報処理要求を所定の要求記憶手段に記憶させる要求記憶制御手段と、
前記要求記憶手段に前記機器情報処理要求が記憶された後に前記情報保持機器が通電有り状態となった場合に、前記機器情報処理手段により前記要求記憶手段に記憶されている前記機器情報処理要求に対応する処理が実行されるよう制御する起動待ち制御手段と、
を具備してなることを特徴とする画像処理装置。
【請求項２】
前記情報保持機器が、各々機能に応じた部品若しくは部品の集合であって個別に通電するか否かの切り替えが可能に構成された複数の機能ブロックに区分されており、
前記起動待ち制御手段が、前記要求記憶手段に記憶されている前記機器情報要求のうち、前記機能ブロックが通電有り状態となったことにより実行可能となった前記機器情報要求に対応する処理が実行されるよう制御してなる請求項１に記載の画像処理装置。
【請求項３】
前記要求記憶制御手段が、前記情報保持機器が通電無し状態であるときに前記機器情報処理要求が受信された場合に、予め設定された要求記憶条件の判別に基づいて前記機器情報処理要求の記憶処理を実行するか否かを制御してなる請求項１又は２のいずれかに記載の画像処理装置。
【請求項４】
前記要求記憶条件が、当該画像処理装置が備えるものであって予め定められた時刻スケジュールに従って前記機能ブロック各々の通電状態を制御するタイマ制御手段の制御状態、前記要求記憶手段の空き容量、前記要求記憶手段に記憶された前記機器情報処理要求の数、前記機器情報処理要求の送信者の権限、前記機器情報処理要求において即時処理を行う旨の指定がなされているか否か、のうちの１又は複数に関する条件である請求項３に記載の画像処理装置。
【請求項５】
前記通信手段が、前記要求記憶制御手段を兼ねて構成されてなる請求項１〜４のいずれかに記載の画像処理装置。
【発明の詳細な説明】
【技術分野】
【０００１】
本発明は、外部装置と通信を行う通信手段を備えた画像処理装置に関するものであって、特に、省電力化に好適な画像処理装置に関するものである。
【背景技術】
【０００２】
一般に、プリンタ、スキャナ、ファクシミリ装置、複写機或いはそれらの機能を兼ね備えた複合機等の画像処理装置は、ネットワークや電話回線等の通信媒体を介して外部装置（計算機や他の画像処理装置等）と通信を行う通信手段（ＮＩＣ(Network Interface Card)やモデム(Modulator-Demodulator)など）を備えている。また、このような画像処理装置は、当該画像処理装置が備える操作入力部に対する操作、及び前記通信手段を通じた外部装置からのデータ受信がない状態が一定時間以上継続した場合、通常の動作状態よりも消費電力が低い省電力状態（一般に、スリープモードという）へ移行する機能（以下、スリープ機能という）を備えるものがある。前記省電力状態では、例えば、ヒータを備えた定着装置や制御回路等の機器に対する通電（電力供給）が遮断された状態となる一方、前記通信手段については、通電された状態が維持されることが多い。その理由は、省電力状態である場合に、外部装置からの要求に応じて非通電状態にある機器に対する通電を自動的に再開させ、通常の動作状態に自動的に復帰できるようにするためである。例えば、特許文献１には、省電力状態である場合に、通電されている通信手段によりプリント要求が受信されると、装置全体に通電を行い、受信したプリント要求に応じた画像形成を行う画像形成装置が示されている。
【０００３】
ここで、外部装置からの要求には、記録紙に画像形成を行うことを要求するプリント要求や、原稿に形成された画像を読み取ることを要求する画像スキャン要求、画像処理装置が備えるハードディスク等の記憶手段にアクセスしてデータファイルを操作する処理（以下、データファイリング処理という）を行うことの要求等のデータ処理要求の他、その画像処理装置が備える機器に関する情報である機器情報について所定の処理を求める要求（以下、機器情報処理要求という）がある。この機器情報処理要求としては、機器情報を外部装置に対して送信することの要求や、機器情報を該当する機器に対して設定することの要求がある。
一方、特許文献２には、省電力状態である場合に、通電されているコントローラにより、ネットワークを介して外部装置からハードディスクに対するアクセス要求が受信されると、ハードディスクに対する通電を開始して要求された処理を行う画像処理装置が示されている。
また、特許文献３には、サブ電源によりサブＣＰＵ及び外部インターフェースに電力が供給された省電力状態である場合に、外部インターフェースを通じて印刷要求を受けると、サブＣＰＵにより装置全体を制御するメインＣＰＵに電力を供給して印刷を行う複合機が示されている。
【特許文献１】特開平８−１０１６０６号公報
【特許文献２】特開２００５−１８６４２５号公報
【特許文献３】特開２００３−６３１０１号公報
【発明の開示】
【発明が解決しようとする課題】
【０００４】
しかしながら、自装置が省電力状態であるときに、外部装置から通信手段を通じて何らかの処理が要求されたからといって、即座にその要求に応じて通電されていない多くの機器に対する通電を開始し、要求された処理を実行していたのでは、十分な省電力化を図れないという問題点があった。
特に、多岐にわたる機能に対応した多くの機器を備えるとともに、多くの利用者によって共用される複合機では、外部装置から通信手段を通じて受信される要求の種類が多く、また、要求ごとの重要度合や緊急度合が異なり得る。このため、省電力状態であるときに処理要求を受信した場合、そのときの装置の状態やその処理要求の内容等に応じて、その処理要求に対応する処理を省電力状態が解除されるのを待って実行することも、さらなる省電力化を図る上で重要である。
従って、本発明は上記事情に鑑みてなされたものであり、その目的とするところは、省電力状態であるときに外部装置から通信手段を通じて機器情報の処理要求を受信した場合に、その要求に対応する処理を、省電力状態が解除されるのを待って実行可能とすることにより、従来よりも電力消費を抑えることができる画像処理装置を提供することにある。
【課題を解決するための手段】
【０００５】
上記目的を達成するために本発明は、所定の機器情報を保持する記憶部を備えた部品若しくは部品の集合である機器（以下、情報保持機器という）と、その情報保持機器が保持する前記機器情報について所定の処理を求める機器情報処理要求を外部装置から受信する通信手段と、その通信手段により受信された前記機器情報処理要求に対応する処理を実行する機器情報処理手段とを備えた画像処理装置として構成されるものであり、以下の（１）及び（２）に示す特徴的な構成を有するものである。
（１）前記情報保持機器が通電無し状態であるときに、前記通信手段により前記外部装置から前記機器情報処理要求が受信された場合に、その機器情報処理要求を所定の記憶手段（以下、要求記憶手段という）に記憶させる要求記憶制御手段。
（２）前記要求記憶手段に前記機器情報処理要求が記憶された後に前記情報保持機器が通電有り状態となった場合に、前記機器情報処理手段により前記要求記憶手段に記憶されている前記機器情報処理要求に対応する処理が実行されるよう制御する起動待ち制御手段。
上記構成を備えた画像処理装置は、省電力状態（通信手段が通電有り状態であって、それ以外の前記情報保持機器が通電無しの状態）であるときに、外部装置から通信手段を通じて機器情報の処理要求を受信した場合、その要求に対応する処理を、省電力状態が解除されるのを待って実行する。
【０００６】
さらに、前記情報保持機器が、各々機能に応じた部品若しくは部品の集合であって個別に通電するか否かの切り替えが可能に構成された複数の機能ブロックに区分されて構成され、前記起動待ち制御手段が、前記要求記憶手段に記憶されている前記機器情報要求のうち、前記機能ブロックが通電有り状態となったことにより実行可能となったものに対応する処理が実行されるよう制御するものであればなお好適である。
これにより、必要最小限の機能ブロックが起動した時点で前記機器情報処理要求を処理することができる。
【０００７】
また、前記要求記憶制御手段が、前記情報保持機器が通電無し状態であるときに前記機器情報処理要求が受信された場合に、予め設定された要求記憶条件の判別に基づいて前記機器情報処理要求の記憶処理を実行するか否かを制御することも考えられる。
これにより、省電力状態であるときに機器情報処理要求を受信した場合、それを一時記憶して省電力状態が解除されるのを待って処理するか否かを、そのときの装置の状態やその機器情報処理要求の内容等に応じて柔軟に制御することが可能となる。
ここで、前記要求記憶条件としては、例えば、次の（１）〜（５）に示す事項のうちの１又は複数に関する条件が考えられる。
（１）予め定められた時刻スケジュールに従って前記機能ブロック各々の通電状態を制御するタイマ制御手段（当該画像処理装置が備える制御手段）の制御状態。
（２）前記要求記憶手段の空き容量。
（３）前記要求記憶手段に記憶された前記機器情報処理要求の数。
（４）前記機器情報処理要求の送信者の権限。
（５）前記機器情報処理要求において即時処理を行う旨の指定がなされているか否か。
また、前記通信手段が、前記要求記憶制御手段を兼ねて構成されたものであれば、省電力状態において通電させておくべき機器の数が減り、さらに電力消費を抑えることができる。
【発明の効果】
【０００８】
本発明に係る画像処理装置は、前記情報保持機器に通電がなされていない省電力状態であるときに機器情報処理要求を受信した場合、その機器情報処理要求を、一時記憶した上で省電力状態が解除されるのを待って処理する。このため、前記機器情報処理要求が受信される都度、即座にその要求に応じて省電力状態を解除して処理する画像処理装置に比べ、電力消費を抑えることができる。
さらに、前記情報保持機器を独立して通電制御が可能な複数の機能ブロックに区分し、前記機器情報処理要求に対応する処理の実行を、前記機能ブロックの単位で制御することにより、必要最小限の機能ブロックが起動した時点で前記機器情報処理要求を処理することができる。その結果、当該画像処理装置は、消費電力を抑えつつ、極力迅速に機器情報処理要求を処理することができる。また、必要のない機能ブロックを無駄に起動させずに前記機器情報処理要求の処理を行うという効率的な処理が可能となり、さらなる省電力化が可能となる。
また、前記要求記憶手段に前記機器情報処理要求を記憶させるか否かに関する要求記憶条件を設定可能とし、その要求記憶条件に基づいて前記機器情報処理要求の記憶処理を実行するか否かを制御すれば、状況に応じた柔軟な制御が可能となる。
【発明を実施するための最良の形態】
【０００９】
以下添付図面を参照しながら、本発明の実施の形態について説明し、本発明の理解に供する。尚、以下の実施の形態は、本発明を具体化した一例であって、本発明の技術的範囲を限定する性格のものではない。
ここに、図１は本発明の実施形態に係る画像処理装置Ｘの概略構成を表すブロック図、図２は画像処理装置Ｘが備えるＮＩＣの概略構成を表すブロック図、図３は画像処理装置Ｘが備える制御部の概略構成を表すブロック図、図４は画像処理装置Ｘにおける電源の接続関係の第１実施例を表す電源系統図、図５は画像処理装置Ｘのデータ受信に応じたスリープモード解除処理の手順を表すフローチャート、図６は画像処理装置Ｘの機器情報処理要求受信時のスリープモード解除処理の手順を表すフローチャート、図７は機器情報処理要求のデータ構成の一例を表す図、図８は画像処理装置Ｘにおけるウィークリータイマ制御の週間スケジュールを模式的に表した図、図９は画像処理装置ＸにおけるＮＩＣの電源制御ルールの一例を表す図、図１０は画像処理装置Ｘにおけるメイン制御部の電源制御ルールの一例を表す図、図１１は画像処理装置Ｘにおける電源の接続関係の第２実施例を表す電源系統図である。
【００１０】
まず、図１に示すブロック図を参照しつつ、画像処理装置Ｘの構成について説明する。
画像処理装置Ｘは、例えば標準規格ＩＥＥＥ８０２．３に準拠したＬＡＮやＷＡＮ、インターネット等のネットワーク３０を介して、パーソナルコンピュータ等の外部装置３１と通信可能に構成され、その外部装置３１と通信を行う通信手段の一例として、ネットワークインターフェースカード５（以下、ＮＩＣという）を備えている。ここで、ネットワーク３０を介して当該画像処理装置Ｘと通信可能な外部装置３１としては、当該画像処理装置Ｘの利用者の端末や、他の画像処理装置、当該画像処理装置Ｘのメンテナンスを行う事業者の端末等が考えられる。
画像処理装置Ｘは、図１に示すように、前記ＮＩＣ５に加え、操作部１、表示部２、ハードディスクドライブ３（以下、ＨＤＤと称する）、画像処理演算部４、スキャナ制御部６、スキャナ部６ａ、プリント制御部７、プリント部７ａ、後処理制御部８、シフター８ａ、パンチャー８ｂ、ステイプラー８ｃ、メイン制御部９、メイン通電切替回路１０、メイン電源２１、サブ電源２２等を備えている。
さらに、スキャナ部６ａは、自動原稿搬送装置６ｂ（以下、ＡＤＦと称する）を備え、プリント部７ａは定着用ヒータ７ｂを備えている。
また、図１に示す例では、メイン制御部９、画像処理演算部４、ＮＩＣ５、スキャナ制御部６、プリント制御部７、後処理制御部８及びメイン通電切替回路１０は、バス１１により相互に接続されている。
操作部１は、情報を入力するための操作入力手段であり、シートキーや液晶表示装置の表面に設けられたタッチパネル等から構成されるものである。
表示部２は、情報の表示手段であり、液晶表示装置やＬＥＤランプ等から構成されるものである。これら操作部１及び表示部２により、利用者に対するマンマシンインターフェースが構成されている。
【００１１】
ＨＤＤ３は、原稿から読み取った読取り画像データの処理や、画像データのプリント処理等の際に、必要に応じてその処理データを記憶する大容量の不揮発メモリである。さらに、このＨＤＤ３は、当該画像処理装置Ｘと通信可能な外部装置３１からの要求に応じて、その外部装置３１から送信されてくるデータファイルの保存先としても用いられる。このように、外部装置３１から送信されてくるデータファイルをＨＤＤ３に保存する処理、及び、その保存したデータファイルの保存場所（データフォルダ）の変更や、ファイル名の変更、データの書き換え、データの消去等を行う処理を、以下、データファイリング処理という。
画像処理演算部４は、専用の信号処理回路或いはＤＳＰ（Digital Signal Processor）等により構成され、画像データについて各種画像処理を行い、画像形成に用いる印刷データ（イメージデータや印刷ジョブ等）の生成や、外部装置３１へ送信する画像データ（例えば、ＪＰＥＧ形式等の所定の符号化がなされた画像データ等）の生成、画像データに暗号化を施す処理や、暗号化された画像データを復号化する処理、或いは画像データを圧縮符号化する処理や、圧縮符号化された画像データを伸張（復元）する処理等を行うものである。
【００１２】
スキャナ制御部６は、原稿から画像を読み取る処理を実行するスキャナ部６ａ及びＡＤＦ６ｂに対して制御信号を出力することにより、スキャナ部６ａ及びＡＤＦ６ｂを制御するものである。
スキャナ部６ａは、不図示のガラス製の原稿台上に載置された原稿や、ＡＤＦ６ｂにより搬送される原稿から、その原稿に形成された画像を読み取る装置である。このスキャナ部６ａは、ＡＤＦ６ｂの他、例えば、原稿の画像面に光を照射する光源及び原稿からの反射光を所定の方向へ反射するミラーが設けられ、原稿に沿って移動するよう構成された移動式光学ユニットと、その移動式光学ユニットを駆動するモータと、その移動式光学ユニットから出射される光を所定の経路に沿って導く固定式のミラー及びその光を集光するレンズと、そのレンズを通過した光を光電変換し、その光（即ち、原稿の画像面に反射した光）の光量に応じた電気信号を出力するＣＣＤ（Charge Coupled Device）等とを備えている。前記移動式光学ユニットは、原稿台に載置された原稿から画像を読み取る場合には、その原稿に沿って移動しつつ画像面に光を照射する。一方、ＡＤＦ６ｂにより搬送される原稿から画像を読み取る場合には、前記移動式光学ユニットは、原稿の搬送経路に対向する所定位置に固定され、搬送中の原稿に光を照射する。また、前記ＣＣＤから出力される電気信号は、画像データとして画像処理演算部４へ伝送される。
ＡＤＦ６ｂは、原稿供給用のトレイにセットされた原稿を、１枚ずつ所定の搬送経路に沿って搬送し、原稿排出用のトレイに排出する装置である。このＡＤＦ６ｂは、例えば、原稿供給用のトレイから原稿の搬送経路へ原稿を１枚ずつ送り出す給紙ローラと、原稿の搬送経路において原稿を搬送する原稿搬送ローラ、及びそれら各ローラを駆動するモータを備えている。
【００１３】
プリント制御部７は、画像形成処理に関する処理を実行するプリント部７ａに対して制御信号を出力することにより、プリント部７ａを制御するものである。
プリント部７ａは、不図示の給紙カセットに収容された記録紙を、１枚ずつ順次送り出し、所定の画像形成位置を経て排紙トレイまで搬送するものとともに、その画像形成位置において、スキャナ部６ａにより原稿から読み取られた原稿の画像データや、画像処理演算部４により生成された印刷データ等に基づいて、記録紙に画像を形成（出力）するものである。ここで、当該画像処理装置Ｘは、原稿の画像データに基づく画像形成処理を行うことによって複写機として機能し、外部装置３１から受信したプリント要求（印刷ジョブ）に基づく画像形成処理を行うことによってプリンタとして機能する。
このプリント部７ａは、例えば、像を担持する感光体ドラム、その感光体ドラムに対し帯電を行う帯電装置、与えられた画像データや印刷ジョブに基づく静電潜像を感光体ドラム表面に書き込む露光装置、その静電潜像をトナー像として現像する現像装置、感光体ドラム上のトナー像を記録紙に転写する転写装置、感光体ドラムや記録紙搬送用のローラを駆動するモータ等を備えている。
さらに、プリント部７ａは、記録紙に転写されたトナー画像を、加熱して定着させる定着装置を備え、この定着装置は、定着用のヒータ７ｂが内装された加熱ローラと、トナー画像が転写された記録紙を前記加熱ローラに対して圧接させる加圧ローラと、各ローラを駆動するモータ等も備えている。
【００１４】
後処理制御部８は、画像形成がなされた記録紙に対して各種の後処理を施すシフター８ａ、パンチャー８ｂ及びステイプラー８ｃに対して制御信号を出力することにより、シフター８ａ、パンチャー８ｂ及びステイプラー８ｃを制御するものである。
シフター８ａは、複数の排紙トレイが設けられた可動式トレイを備え、プリント部７ａにより、ひとまとまりの画像データや印刷ジョブ（以下、１組のジョブという）について複数部数分の画像形成処理が連続して行われた場合に、それら記録紙を予め定められた規則に従って仕分けするものである。ここで、可動式トレイは、記録紙の排出口に対する排紙トレイ各々の位置を移動可能に構成されている。
例えば、シフター８ａは、画像形成後の記録紙が、排紙トレイ各々に対して前記１組のジョブごとに、或いは同じページごとに排出されるよう前記可動式トレイが制御される。また、パンチャー８ｂは、画像形成後の記録紙にパンチ穴を開ける処理を行うものである。また、ステイプラー８ｃは、画像形成後の複数枚の記録紙に対してステイプル綴じ処理を施すものである。以下、シフター８ａ、パンチャー８ｂ及びステイプラー８ｃを総称して、後処理実行部と称する。
また、画像読み取り、画像形成及び記録紙に対する後処理の各個別の処理を直接的に行うスキャナ部６ａ、プリント部６ｂ、後処理実行部８ａ〜８ｃ各々を制御するスキャナ制御部６、プリント制御部７及び後処理制御部８を総称して、ローカル制御部と称する。
【００１５】
ＮＩＣ５は、例えば標準規格ＩＥＥＥ８０２．３に準拠したＬＡＮ等のネットワーク３０を通じて、外部装置３１との間でデータの送受信を行う通信インターフェースである。このＮＩＣ５は、例えば、画像処理演算部４により生成された画像データや、スキャナ部６ａで読み取られた画像データ、或いはＨＤＤ３に保存されているデータを外部装置３１へ送信する処理、さらには、外部装置３１から各種のデータ処理要求を受信する処理等を行う。ここで、データ処理要求には、記録紙に画像形成を行うことを要求するプリント要求（いわゆる、印刷ジョブ）、原稿から画像を読み取ることを要求するスキャン要求、前記データファイリング処理を行うことを要求するデータファイリング要求等が含まれる。
また、ＮＩＣ５は、当該画像処理装置Ｘが備える機器に関する情報（以下、機器情報という）について所定の処理を求める機器情報処理要求を外部装置３１から受信する処理、及び必要に応じてこれに対する応答を外部装置３１に対して送信（返信）する処理も行う。この機器情報については後述する。
【００１６】
メイン電源２１及びサブ電源２２は、当該画像処理装置Ｘの各構成要素に対して電力を供給する電源回路である。
メイン通電切替回路１０は、後述するように、ＮＩＣ５から受ける制御信号に従って、サブ電源２２の１つについて、これを商用電源に接続するか否かを切り替えることにより、メイン制御部９等の一部の機器に対して通電を行うか否かを切り替えるスイッチ回路である。その詳細は、後述する。
さらに、メイン通電切替回路１０は、操作部１から受信する制御信号によっても、その切替状態が変化するよう構成されている。
【００１７】
メイン制御部９は、操作部１、表示部２、ＨＤＤ３及び画像処理演算部４の各々を制御するものであり、さらに、スキャナ制御部６、プリント制御部７及び後処理制御部８各々との間で、それら各制御部が実行するデータ処理に必要な情報や、そのデータ処理によって得られる情報の授受を行うものである。
例えば、メイン制御部９は、プリント制御部７に対し、画像形成先となる記録紙のサイズや、出力画像の縮倍率や濃度補正値、カラー画像形成処理を行うかモノクロ画像形成処理を行うか等の情報を引き渡す一方、プリント制御部７からは、何枚目の記録紙への画像形成まで終了したかの情報や、プリント部７ａで発生したエラーの情報等を取得する。さらに、メイン制御部９は、スキャナ制御部６に対し、原稿における画像読み取り範囲の情報等を引き渡す一方、スキャナ制御部７からは、ＡＤＦ６ｂを用いて何枚目の原稿まで画像読み取りが終了したかの情報や、スキャナ部６ａによって読み取られた画像データ、ＡＤＦ６ａで発生したエラーの情報等を取得する。また、メイン制御部９は、後処理制御部８に対し、シフター８ａによる仕分け処理の種類に関する情報や、パンチャー８ｂやステイプラー８ｃにより穴開け処理やステイプル綴じ処理を施す記録紙の枚数情報等を引き渡す一方、後処理制御部８からは、シフター８ａ、パンチャー８ｂ及びステイプラー８ｃで発生したエラー情報等を取得する。
【００１８】
以上に示したように、メイン制御部９、ＨＤＤ３、スキャナ制御部６、スキャナ部６ａ、プリント制御部７、プリント部７ａ、後処理制御部８、後処理実行部８ａ〜８ｃは、各々機能に応じて区分された部品若しくは部品の集合として構成された機能ブロックである。
また、ハードディスクを回転駆動させるモータを備えたＨＤＤ３と、これを制御するメイン制御部９は、メイン制御部９が上位、ＨＤＤ３が下位となる関係を有している。
さらに、メイン制御部９は、複数の前記ローカル制御部６〜８各々との間でデータ処理に必要な情報若しくはデータ処理によって得られる情報の授受を行う機能ブロックであり、メイン制御部９が上位、ローカル制御部６〜８各々が下位となる関係を有している。
また、各種モータを備え、制御される側の機能ブロックであるスキャナ部６ａ及び後処理実行部８ａ〜８ｃが下位、これらを制御する側のスキャナ制御部６及び後処理制御部８が上位となる関係を有している。
同様に、各種モータと定着用ヒータ７ｂとを備え、制御される側の機能ブロックであるプリント部７ａが下位、これを制御する側のプリント制御部７が上位となる関係を有している。
従って、最上位の機能ブロックがメイン制御部９、その１つ下位の機能ブロックがスキャナ制御部６、プリント制御部７及び後処理制御部８、さらにその１つ下位（再下位）の機能ブロックがスキャナ部６ａ、プリント部７ａ及び後処理実行部８ａ〜８ｃとなっている。このように、各機能ブロックが、上位から下位への階層的な関係を有している。
【００１９】
次に、図２に示すブロック図を参照しつつ、ＮＩＣ５の構成について説明する。
ＮＩＣ５は、バスコネクタ６１、バス制御部６２、ＭＰＵ６３、メモリ制御部６４、ＲＯＭ６５、フラッシュメモリ６６、ネットワーク制御部６７、ネットワークコネクタ６８及び計時部６９等を備えている。
バスコネクタ６１は、バス１１に接続されるコネクタであり、バス制御部６２は、バス１１を通じて他の機器との間で信号伝送を行うものである。
ネットワークコネクタ６８は、ネットワーク３０に物理的に接続するコネクタであり、ネットワーク制御部６７は、例えば標準規格ＩＥＥＥ８０２．３及びＴＣＰ／ＩＰ等の所定のネットワークプロトコルに準拠した通信制御を行うものである。
ＭＰＵ６３は、ＲＯＭ６５に予め記憶されたプログラムを実行することにより、バス１１とネットワーク３０との間の信号伝送を中継する処理や、ネットワーク３０を介して外部装置３１から所定の処理が要求された場合に、これに応答する処理等、各種の処理を行う演算手段である。実行するプログラムは、ＭＰＵ６３が内蔵する不図示のＲＡＭに展開されて実行される。このＭＰＵ６３は、メモリ制御部６４を介して、ＲＯＭ６５やフラッシュメモリ６６に対するアクセスを行う。
また、ＮＩＣ５は、ＭＰＵ６３がＲＯＭ６５に予め記憶されたＷｅｂサーバプログラムを実行することにより、Ｗｅｂサーバとしても機能する。
計時部６９は、一定周期で発信信号を発生させるクロック発信器を備え、その発信信号に基づいて現在時刻の計時、及びＭＰＵ６３によって設定された時間（以下、タイマー設定時間という）の計時を行うものである。この計時部６９により計時された現在時刻の情報、及び前記タイマー設定時間が設定された時点からその時間が経過した旨の情報は、ＭＰＵ６３に伝送される。
【００２０】
次に、図３に示すブロック図を参照しつつ、メイン制御部９及びローカル制御部６〜８の構成について説明する。以下、メイン制御部９及びローカル制御部６〜８を総称して、制御部と称する。
制御部６〜９各々は、バスコネクタ７１、バス制御部７２、ＭＰＵ７３、メモリ制御部７４、ＲＯＭ７５、フラッシュメモリ７６及びＩ／Ｏポート７７等を備えている。
ここで、バスコネクタ７１、バス制御部７２、メモリ制御部７４、ＲＯＭ７５及びフラッシュメモリ７６の各々は、ＮＩＣ５が備えるバスコネクタ６１、バス制御部６２、メモリ制御部６４、ＲＯＭ６５及びフラッシュメモリ６６と同様の機能を備えたものである。もちろん、ＲＯＭ７５及びフラッシュメモリ７６に記憶されるプログラムやデータの内容は、ＮＩＣ５のＲＯＭ６５及びフラッシュメモリ６６に記憶されているものと異なることはいうまでもない。
制御部６〜９のＩ／Ｏポート７７は、制御部６〜９各々からその制御対象となる機器に対して出力する制御信号を伝送する信号線や、制御部６〜９が各種センサから入力する各種検出信号を伝送する信号線が接続され、それら信号線とＭＰＵ７３との間を中継するインターフェースである。
例えば、メイン制御部９のＩ／Ｏポート７７には、操作部１、表示部２及びＨＤＤ３を構成する機器やセンサに通じる信号線が接続される。また、スキャナ制御部６のＩ／Ｏポート７７には、スキャナ部６ａを構成するモータや光源、センサ等の機器に通じる信号線が接続され、プリント制御部７のＩ／Ｏポート７７には、プリント部７ａが備えるモータやセンサ、ヒータ等の機器に通じる信号線が接続される。同様に、後処理制御部８のＩ／Ｏポート７７には、前記後処理実行部８ａ〜８ｃが備える機器やセンサに通じる信号線が接続される。
なお、図２及び図３には、ＭＰＵ６３、７３によってデータの書き込み及び読み出しが可能な不揮発性の記憶手段として、フラッシュメモリ６６、７６が設けられているが、このフラッシュメモリ６６、７６の代わりに、ＥＥＰＲＯＭ等の他の不揮発性記憶手段を採用することも考えられる。
【００２１】
ところで、当該画像処理装置Ｘが備える機器に関する前記機器情報には、例えば以下のような情報が含まれる。
（１）機器の識別情報
機器の名称、機器（ＲＯＭ、電子基板等）のバージョン情報等
（２）実行可能な機能に関する情報
画像形成可能な記録紙のサイズの情報（即ち、プリント部７ａが備える給紙カセットに収容された記録紙のサイズ情報）、実行可能な画像形成速度の情報、原稿の両面読み取りが可能か否かの情報、記録紙の両面に画像形成が可能か否かの情報、記録紙に対する後処理（仕分け処理、パンチ処理、ステイプル処理）が可能か否かの情報、カラー画像形成が可能か否かの情報等
（３）オプション機器の装着状況に関する情報
オプション機器である後処理実行部（シフター８ａ、パンチャー８ｂ及びステイプラー８ｃ）の各々が装着されているか否かの情報等（なお、後処理実行部８ａ〜８ｃが装着されていても、その使用を禁止する設定がなされている場合は、記録紙に対する後処理は実行不可の状態となる）
（４）機器の動作状況に関する情報
待機中、動作中、スキャナ部６ａが備える原稿カバーの開閉状態等
（５）機器に対する設定情報
ＮＩＣ５に設定するＩＰアドレス、電子メール送信やファクシミリ送信で用いる宛先情報（電子メールアドレスや電話番号等）、機器の制御パラメータに関する情報（プリント部７ａが備える転写装置や現像装置に対するバイアス電圧の設定値、記録紙や原稿の送り出しのタイミングに関する情報等）等
（６）機器の使用実績に関する情報
各機能ブロックによる処理（画像読み取り処理や画像形成処理等）の累積実行回数、プリント部７ａが備える定着装置や感光体ドラム或いは静電潜像書き込み用のレーザー装置等の残存寿命の情報等
（７）機器に発生した異常に関する情報
原稿や記録紙のジャム発生履歴、後処理実行部８ａ〜８ｃにおけるエラー発生履歴、ＮＩＣ５の通信エラーの発生履歴等
（８）機器に装備される消耗品の情報
現像装置における現像剤（トナー）の残量情報、定着装置における記録紙剥離用オイルの残量情報、プリント部７ａが備える給紙カセットに収容されている記録紙の残数情報等
【００２２】
以上に示した各機器情報は、その情報に対応する機能ブロックが備えるメモリに記憶される。即ち、ＮＩＣ５に関する機器情報は、ＮＩＣ５のＲＯＭ６５やフラッシュメモリ６６に、メイン制御部９に関する機器情報は、メイン制御部９のＲＯＭ７５やフラッシュメモリ７６に記憶される。また、スキャナ制御部６及びスキャナ部６ａに関する機器情報は、スキャナ制御部６のＲＯＭ７５やフラッシュメモリ７６に、プリント制御部７及びプリント部７ａに関する機器情報は、プリント制御部７のＲＯＭ７５やフラッシュメモリ７６に、後処理制御部８及び後処理実行部８ａ〜８ｃに関する機器情報は、後処理制御部８のＲＯＭ７５やフラッシュメモリ７６に各々記憶される。
また、以上に示した機器情報には、ＮＩＣ５のＲＯＭ６５や、各制御部６〜９のＲＯＭ７５等に予め記憶され、それ以後更新されない機器情報と、ＮＩＣ５のＭＰＵ６３や各制御部６〜９のＭＰＵ７３が所定のプログラムに従った処理を実行することにより、フラッシュメモリ６６、７６に記録される機器情報とがある。ここで、ＮＩＣ５のＭＰＵ６３及び各制御部６〜９のＭＰＵ７３は、ＮＩＣ５により外部装置３１から前記機器情報処理要求が受信された場合に、その機器情報処理要求に対応する処理を実行する（機器情報処理手段の一例）。この機器情報処理要求としては、機器情報を外部装置３１に対して送信することを求める送信要求や、機器情報を該当する機器に対して設定する（即ち、フラッシュメモリ６６、７６に記憶させる）ことを求める設定要求がある。
このように、機能ブロックの一部であるＮＩＣ５及び各制御部６〜８は、自装置に関連する機器情報を保持するＲＯＭやフラッシュメモリ等の記憶部を備えた部品若しくは部品の集合である情報保持機器の一例である。
【００２３】
さらに、ＮＩＣ５は、各制御部６〜９（機能ブロック）が"通電有り状態"であるときに、その制御部６〜９からそのメモリに記憶された機器情報（その制御部６〜９に関する機器情報）の一部若しくは全部を所定のタイミングで取得し、取得した機器情報をＮＩＣ５のフラッシュメモリ６６に記憶させる機能を備えている。この機能は、ＮＩＣ５のＭＰＵ６３が所定のプログラムを実行することにより実現される。
同様に、メイン制御部９は、それより下位の機能ブロックである各ローカル制御部６〜８が"通電有り状態"であるときに、そのローカル制御部６〜８からそのメモリに記憶された機器情報（そのローカル制御部６〜８に関する機器情報）の一部若しくは全部を所定のタイミングで取得し、取得した機器情報をメイン制御部９のフラッシュメモリ７６に記憶させる機能を備えている。この機能は、メイン制御部９のＭＰＵ７３が所定のプログラムを実行することにより実現される。
なお、ＮＩＣ５やメイン制御部９は、例えば、予め定められた周期で他の機能ブロックから機器情報を取得し、その機器情報をフラッシュメモリ６６、７６に記憶させる。
一般に、機器情報が更新される頻度は低いため、このように、ＮＩＣ５やメイン制御部９が他の機能ブロックから取得してフラッシュメモリ６６、７６に記憶させる機器情報は、多くの場合、最新の機器情報（即ち、対応する機器が記憶する機器情報）と内容が一致する。しかしながら、その内容の一致は常に保証されるというものではない。このように、ＮＩＣ５やメイン制御部９が所定のタイミングで他の機能ブロックから取得してフラッシュメモリ６６、７６に記憶させる機器情報のことを、最新の機器情報と区別して、以下、複製機器情報と称する。
【００２４】
［電源系統］
次に、図４に示す電源系統図を参照しつつ、各機能ブロックに対する電源の接続関係の第１実施例について説明する。
図４に示す例では、画像処理装置Ｘは、９個のサブ電源２２を備えている。以下、それぞれ第１サブ電源２２１〜第９サブ電源２２９と称する。
前記メイン電源２１は、ＮＩＣ５、操作部１及びメイン通電切替回路１０に対して電力を供給する電源である。
このメイン電源２１は、当該画像処理装置Ｘ全体に対する根元の電力供給源となる商用電源５０に対し、手動操作に応じて電源供給ラインを導通させるか遮断するかを切り替える手動切替スイッチ４０を介して接続されている。利用者がこの手動切替スイッチ４０の切り替え操作をすることにより、ＮＩＣ５、操作部１及びメイン通電切替回路１０に対して通電されるか否かが切り替えられる。従って、ＮＩＣ５、操作部１及びメイン通電切替回路１０は、当該画像処理装置Ｘが商用電源５０に接続されている状態では、利用者の操作によって手動切替スイッチ４０が導通状態から遮断状態に切り替えられない限り、常に通電された状態となる。また、手動切替スイッチ４０が遮断状態に切り替えられると、当該画像処理装置Ｘ全体が非通電状態（停止状態）となる。
なお、図４では、電源供給ラインを実線で表し、その他の信号伝送ラインを破線で表している。
【００２５】
一方、第１サブ電源２２１は、メイン制御部９、表示部２及び画像処理演算部４に対して電力を供給する電源回路である。
また、第２サブ電源２２２、第３サブ電源２２３及び第４サブ電源２２４は、それぞれスキャナ制御部６、プリント制御部７及び後処理制御部８の各々に対して電力を供給する電源回路である。
また、第５サブ電源２２５、第６サブ電源２２６及び第９サブ電源２２９は、それぞれＨＤＤ３、スキャナ部６ａ、後処理実行部８ａ〜８ｃの各々に対して電力を供給する電源回路である。
また、第７サブ電源２２７は、プリント部７ａのうちの定着用ヒータ７ｂを除く機器に対して電力を供給する電源回路であり、第８サブ電源２２８は、定着用ヒータ７ｂに対して電力を供給する電源回路である。
【００２６】
また、第１サブ電源２２１〜第９サブ電源２２９各々は、商用電源５０に対し、前記手動切替スイッチ４０と、所定の制御信号に基づいて電源供給ラインを導通させるか遮断するかを切り替える自動切替スイッチ４１〜４９を介して接続されている。なお、図４から明らかなように、自動切替スイッチ４１と第１サブ電源２２１、自動切替スイッチ４２と第２サブ電源２２２、…、自動切替スイッチ４４９と第９サブ電源２２９が各々対応関係にある。
これにより、手動切替スイッチ４０が導通状態にされた上で、さらに自動切替スイッチ４１〜４９の各々が導通状態となって初めて、サブ電源２２１〜２２９各々が通電状態となる。
以下、電源供給ラインを導通させること及び遮断することを、各々ＯＮする及びＯＦＦするという。同様に、電源供給ラインが導通した状態のこと及び遮断した状態のことを、各々ＯＮ状態及びＯＦＦ状態という。
そして、自動切替スイッチ４１〜４９は、その各々がＯＮ状態となるかＯＦＦ状態となるかにより、各機能ブロック６〜１０、６ａ、７ａ、８ａ〜８ｃ各々に対して個別に通電するか否かを切り替える通電切替手段として機能する。
【００２７】
図４に示すように、自動切替スイッチ４１は、ＮＩＣ５からの制御信号に従って動作するメイン通電切替回路１０により、ＯＮするかＯＦＦするか（以下、ＯＮ／ＯＦＦと記載する）が制御される。即ち、メイン通電切替回路１０及び及びこれを制御するＮＩＣ５が、自動切替スイッチ４１のＯＮ／ＯＦＦを制御することにより、メイン制御部９、表示部２及び画像処理演算部４に対する通電を制御する。このように、ＮＩＣ５は、各機能ブロックに対する通電制御を実行する手段の一部を兼ねている。以下、ＮＩＣ５の構成要素の中で、メイン通電切替回路１０の制御機能を実現する部分（具体的には、ＭＰＵ６３とそのＭＰＵ６３によって実行されるメイン通電切替回路１０の制御に関するプログラムモジュール）を、第１通電制御実行部という。
このＮＩＣ５の第１通電制御実行部は、複数の自動切替スイッチ４１〜４９（通電切替手段に相当）のうち、最上位の機能ブロックであるメイン制御部９に対する通電の切り替えを行う自動切替スイッチ４１のみを制御する。ここで、ＮＩＣ５の第１通電制御実行部は、メイン通電切替回路１０に対し、バス１１を通じて制御信号を出力する。
また、自動切替スイッチ４２〜４５は、全てメイン制御部９によってＯＮ／ＯＦＦが制御される。即ち、メイン制御部９が、それより一階層下位の機能ブロックであるスキャナ制御部６、プリント制御部７、後処理制御部８及びＨＤＤ３の各々に対する通電を制御する。
また、自動切替スイッチ４６と、自動切替スイッチ４７、４８と、自動切替スイッチ４９とは、それぞれスキャナ制御部６と、プリント制御部７と、後処理制御部８とによってＯＮ／ＯＦＦが制御される。即ち、スキャナ制御部６が、それより一階層下位の機能ブロックであるスキャナ部６ａに対する通電を制御する。同様に、プリント制御部７が、それより一階層下位の機能ブロックであるプリント部７ａに対する通電を制御する。さらに、後処理制御部８が、それより一階層下位の機能ブロックである後処理実行部８ａ〜８ｃに対する通電を制御する。なお、各制御部６〜９は、その各々が備えるＩ／Ｏポート７７を通じて、自動切替スイッチ４２〜４９に対して制御信号を出力し、その制御信号を出力する処理は、各制御部６〜９が備えるＭＰＵ７３が所定のプログラムを実行することにより実現される。以下、各制御部６〜９の構成要素の中で、自動切替スイッチ４２〜４９の制御機能を実現する部分（具体的には、ＭＰＵ７３と、そのＭＰＵ７３によって実行される自動切替スイッチ４２〜４９の制御に関するプログラムモジュール）のことを、第２通電制御実行部という。
このように、各制御部６〜９の第２通電制御実行部は、複数の自動切替スイッチ４１〜４９（通電切替手段に相当）のうち、自身の機能ブロック（当該機能ブロック）に対して一階層下位の他の機能ブロックに対する通電の切り替えを行うもののみを制御する。
【００２８】
続いて、各機能ブロックに対する通電制御の基本動作について説明する。
まず、各機能ブロックが通電されていない状態である場合に、その機能ブロック各々に対する通電を開始する場合の基本動作について説明する。以下、機能ブロックに通電がなされていない状態を"通電無し状態"、通電されている状態を"通電有り状態"という。
［通電開始の基本動作］
各機能ブロックを"通電無し状態"から"通電有り状態"に切り替える場合、まず、ＮＩＣ５における前記第１通電制御実行部及びメイン通電切替回路１０が、自動切替スイッチ４１をＯＦＦ状態からＯＮ状態へ切り替える。これにより、最上位の機能ブロックであるメイン制御部９に対する通電状態が、"通電無し状態"から"通電有り状態"へ切り替わる。
次に、メイン制御部９が"通電有り状態"となると、そのメイン制御部９における前記第２通電制御実行部が、自動切替スイッチ４２〜４５のうち、メイン制御部９に対し一階層下位の機能ブロック（通電が必要なもの）に対応するものをＯＦＦ状態からＯＮ状態へ切り替える。これにより、メイン制御部９よりも一階層下位の機能ブロック（ＨＤＤ３及びローカル制御部６〜８のうちの１又は複数）が"通電有り状態"に切り替わる。
さらに、ローカル制御部６〜８が"通電有り状態"となると、そのローカル制御部６〜８における前記第２通電制御実行部が、自動切替スイッチ４６〜４９のうち、そのローカル制御部に対し一階層下位の機能ブロック（通電が必要なもの）に対応するものをＯＦＦ状態からＯＮ状態へ切り替える。これにより、ローカル制御部６〜８よりも一階層下位の機能ブロック（スキャナ部６ａ、プリント部７ａ及び後処理実行部８ａ〜８ｃのうちの１又は複数）が"通電有り状態"に切り替わる。
このように、画像処理装置Ｘでは、ＮＩＣ５における前記第１通電制御実行部及びメイン通電切替回路１０、並びに各制御部６〜９における前記第２通電制御実効部の作用により、機能ブロックを"通電無し状態"から"通電有り状態"へ切り替える場合に、それら機能ブロックを上位のものから下位のものへ順に"通電有り状態"へ切り替える各機能ブロックの通電状態を切り替える階層的通電制御処理を実行する。
【００２９】
［通電停止の基本動作］
次に、各機能ブロックが"通電有り状態"である場合に、その機能ブロック各々に対する通電を停止する場合の基本動作について説明する。
まず、ＮＩＣ５における前記第１通電制御実行部は、制御対象となるメイン制御部９を"通電有り状態"から"通電無し状態"に切り替える場合、そのメイン制御部９よりもさらに下位の機能ブロックである各ローカル制御部６〜８、及びさらにその下位の機能ブロックであるスキャナ部６ａ、プリント部７ａ及び後処理実行部８ａ〜８ｃの全てが"通電無し状態"であることを確認し、それが確認できた場合にのみ、自動切替スイッチ４１をＯＮ状態からＯＦＦ状態へ切り替える。即ち、上記確認ができなかった場合には、自動切替スイッチ４１をＯＮ状態からＯＦＦ状態へ切り替えることを禁止する。
また、メイン制御部９における前記第２通電制御実行部は、制御対象となるスキャナ制御部６を"通電有り状態"から"通電無し状態"に切り替える場合、そのスキャナ制御部６よりもさらに下位の全ての機能ブロックであるスキャナ部６ａが"通電無し状態"であることを確認し、それが確認できた場合にのみ、自動切替スイッチ４２をＯＮ状態からＯＦＦ状態へ切り替える。即ち、上記確認ができなかった場合には、自動切替スイッチ４２をＯＮ状態からＯＦＦ状態へ切り替えることを禁止する。
同様に、メイン制御部９における前記第２通電制御実行部は、制御対象となるプリント制御部７若しくは後処理制御部８を"通電有り状態"から"通電無し状態"に切り替える場合、そのプリント制御部７若しくは後処理制御部８よりもさらに下位の全ての機能ブロックであるプリント部７ａ若しくは後処理実行部８ａ〜８ｃが"通電無し状態"であることを確認し、それが確認できた場合にのみ、自動切替スイッチ４３若しくは４４をＯＮ状態からＯＦＦ状態へ切り替える。即ち、上記確認ができなかった場合には、自動切替スイッチ４３若しくは４４をＯＮ状態からＯＦＦ状態へ切り替えることを禁止する。
【００３０】
以上に示したように、ＮＩＣ５の第１通電制御実行部及びメイン制御部９の第２通電制御実行部（通電制御の対象となる機能ブロックよりもさらに下位の機能ブロックが存在するもの）は、制御対象となる一階層下位の機能ブロックを"通電無し状態"に切り替える処理を、それよりもさらに下位の機能ブロックが"通電無し状態"であることを確認した場合にのみ実行する。これにより、制御される側の機能ブロックであるスキャナ部６ａ、プリント部７ａ及び後処理実行部８ａ〜８ｃよりも先に、それを制御する側の機能ブロックである各ローカル制御部６〜８が"通電無しの状態"に切り替えられるという不安全な状況に陥ることを確実に防止できる。
ここで、通電制御の対象となる機能ブロックよりもさらに下位側の機能ブロックの通電状態を確認する方法としては、例えば、制御対象となる"通電有り状態"の機能ブロックに対し、それより下位側の機能ブロックの通電状態を問い合わせ、その問い合わせに対する応答に基づいて確認することが考えられる。その他、ＮＩＣ５のフラッシュメモリ６６に、各機能ブロックの最新の通電状態を記憶させ、その記憶内容を参照することによって下位側の機能ブロックの通電状態を確認することも考えられる。この場合、前記第２通電制御実行部を有する各機能ブロックに、一階層下位の機能ブロックの通電状態の切り替わり情報をＮＩＣ５に通知する機能を設け、さらに、ＮＩＣ５に、各機能ブロックからの通知に基づいて、各機能ブロックの最新の通電状態をフラッシュメモリ６６に記憶させる機能を設ければよい。
【００３１】
本画像処理装置Ｘでは、各機能ブロックに対する通電がなされている場合に、例えばＮＩＣ５或いはメイン制御部９が、以下に示す２つの条件（以下、それぞれ第１のスリープ条件及び第２のスリープ条件という）の成否を判別する。そして、それらスリープ条件のいずれかが成立した場合に、当該画像処理装置Ｘは、前述した通電停止の基本動作に従って、各機能ブロックに対する通電が遮断された状態であるスリープモードに移行する。このスリープモードでは、９つの自動切替スイッチ４１〜４９が全て"ＯＦＦ状態"に切り替えられ、９つのサブ電源２２１〜２２９各々の電力供給先となる各機能ブロックが全て"通電無し状態"となる。即ち、ＮＩＣ５を含むごく一部の機器（ＮＩＣ５、操作部１及びメイン通電切替回路１０）のみが"通電有り状態"となる。
なお、ＮＩＣ５のＭＰＵ６３は、スリープモードへ移行する際に、第１のスリープ条件と第２のスリープ条件とのいずれの条件が成立したのかを表すスリープモード移行理由情報を、ＮＩＣ５のフラッシュメモリ６６に記録するものとする。
【００３２】
［第１のスリープ条件］
第１のスリープ条件は、現在の日時が、予め定められた週間スケジュール（時刻スケジュールの一例）においてスリープモードに設定されている時間帯に属しているという条件である。以下、予め定められた週間スケジュールに従って自動切替スイッチ４１〜４９を制御することにより、機能ブロック各々の通電状態を制御することを、ウィークリータイマ制御という。
図８は、ウィークリタイマ制御の週間スケジュールの内容を模式的に表したものである。図８中の各升目は、曜日（月曜日〜日曜日）及び時刻（００時台〜２３時台）によって規定される時間帯である。また、空欄の升目は、スリープモードに設定されている時間帯を表し、"＊"印が記されている升目は、各機能ブロックに通電がなされる通常モードに設定されている時間帯を表す。
例えば、ＮＩＣ５のＭＰＵ６３は、図８に示す週間スケジュールの情報をフラッシュメモリ６６に予め記憶させておく。さらに、ＮＩＣ５の前記第１通電制御実行部は、計時部６９により計時される現在時刻を周期的に取得し、その現在時刻が、フラッシュメモリ６６に記憶された週間スケジュールにおいて、スリープモードと通常モードのいずれに設定されている時間帯であるのかを判別する。そして、前記第１通電制御実行部は、その判別結果に応じて、メイン通電切替回路１０を通じて自動切替スイッチ４１を制御し、さらに、バス１１を通じて各制御部６〜９に通電の制御情報を通知することにより、各制御部６〜９の前記第２通電制御実行部に自動切替スイッチ４２〜４９の制御を行わせる。この場合、ＮＩＣ５が、タイマ制御手段の一例である。
また、メイン制御部９は、操作部１及び表示部２を制御することにより、利用者が週間スケジュールの内容を設定可能とする週間スケジュール設定機能を備えている。この週間スケジュール設定機能により設定された週間スケジュールは、メイン制御部９からＮＩＣ５に伝送され、ＮＩＣ５のＭＰＵ６３がフラッシュメモリ６６に格納する。
【００３３】
［第２のスリープ条件］
第２のスリープ条件は、前記第１のスリープ条件が成立していない場合に、操作部１を通じた操作入力がなく、かつ、ネットワーク３０を通じた外部装置３１からのデータ受信がない状態が、予め定められた時間以上継続するという条件である。
例えば、ＮＩＣ５が第２のスリープ条件の成否判別を行う場合、ＮＩＣ５の前記第１通電制御実行部は、メイン通電切替回路１０を介して、操作部１に対する操作入力の有無を検知するとともに、ネットワーク制御部６７を介して、外部装置３１からのデータ受信の有無を検知する。この場合、操作部１に対して何らかの操作入力がなされるごとに、その旨を表す制御信号が、操作部１とメイン通電切替回路１０とを接続する信号線を通じて操作部１からメイン通電切替回路１０に伝送され、さらに、バス１１を通じてメイン通電切替回路１０からＮＩＣ５に伝送される。
さらに、ＮＩＣ５の第１通電制御実行部は、計時部６９に前記タイマー設定時間を設定し、計時部６９からの応答を取得することにより、操作部１を通じた操作入力がなく、かつ、ネットワーク３０を通じた外部装置３１からのデータ受信がない状態が、所定時間以上継続したことを検知する。そして、前記第１通電制御実行部は、その検知結果に応じて、メイン通電切替回路１０を通じて自動切替スイッチ４１を制御し、さらに、バス１１を通じて各制御部６〜９に通電の制御情報を通知することにより、各制御部６〜９の前記第２通電制御実行部に自動切替スイッチ４２〜４９の制御を行わせる。
【００３４】
次に、図７を参照しつつ、ＮＩＣ５がネットワーク３０を通じて外部装置３１から受信する機器情報処理要求００ｄの内容について説明する。
図７に示すように、機器情報処理要求００ｄには、以下のような情報が含まれている。
（１）送信者ＩＤ０１ｄ
機器情報処理要求００ｄの送信者（送信元となった外部装置３１の利用者）の識別情報である。
（２）送信日時０２ｄ
（３）要求の種類０３ｄ
機器情報処理要求００ｄが、前記機器情報を外部装置３１に送信する要求であるか否か、及び新たな前記機器情報を設定する要求であるか否かを表す情報である。この要求の種類０３ｄの設定内容が"送信"であれば、その機器情報処理要求００ｄが、前記機器情報を外部装置３１に送信する要求であることを表す。また、この要求の種類０３ｄの設定内容が"設定"であれば、その機器情報処理要求００ｄが、新たな前記機器情報を設定する要求であることを表す。
（４）対象機器情報０４ｄ
処理対象となる機器情報が、当該画像処理装置Ｘが備える機器のうちのいずれの機器に関するものであるのかを表す情報である。その機器が、前記機能ブロックに属する場合、その機能ブロックを識別する情報が設定される。従って、この対象機器情報０４ｄは、当該機器情報処理要求が、前記機能ブロックのいずれに関する前記機器情報の処理を要求するものであるかを表す情報となる。
（５）即時処理指定情報０５ｄ
前記要求の種類０３ｄが"設定"である場合に、新たな前記機器情報を設定する処理を即時に実行すべき要求であるか否かを表す情報である。
（６）最新情報取得指定情報０６ｄ
前記要求の種類０３ｄが"送信"である場合に、その時点での最新の機器情報を対応する機器から取得して送信することを求めるか否かを表す情報である。最新情報取得指定０６ｄが"有"に設定されている場合、前記複製機器情報の送信ではなく、最新の機器情報の送信を求めることを表す。
（７）情報の項目０７ｄ
処理対象となる前記機器情報の項目を表す情報、即ち、機器情報の識別情報（名称等）である。
（８）設定情報０８ｄ
前記要求の種類０３ｄが"設定"である場合に、設定する内容（値）を表す情報である。なお、前記要求の種類０３ｄが"送信"である場合は、この設定情報０８ｄは機器情報処理要求００ｄに含められない。
【００３５】
次に、画像処理装置Ｘが、スリープモードから通常モードへ移行する処理（以下、スリープモード解除処理という）について説明する。
［操作入力に応じたスリープモード解除処理］
画像処理装置Ｘは、スリープモードであるときに、操作部１に対する操作入力に応じてスリープモード解除処理を実行する。
具体的には、スリープモードであるときに、操作部１に対して何らかの操作入力があった場合、その旨を表す制御信号が操作部１からメイン通電切替回路１０に伝送され、メイン通電切替回路１０が、自動切替スイッチ４１を"ＯＮ"に切り替える。
その後、メイン制御部９の前記第２通電制御実行部が、操作部１に対する操作入力の内容に応じて、自動切替スイッチ４２〜４５を制御すること、及び"通電有り状態"となったローカル制御部６〜８を制御することにより、必要な機能ブロックを"通電有り状態"に切り替える。
【００３６】
［データ受信に応じたスリープモード解除処理］
画像処理装置Ｘは、スリープモードであるときに、ＮＩＣ５により外部装置３１から機器情報処理要求００ｄが受信された場合に、ＮＩＣ５の前記第１通電制御実行部及び"通電有り状態"となったメイン制御部９の前記第２通電制御実行部が、その機器情報処理要求００ｄの内容に基づいて自動切替スイッチ４１〜４５を制御することにより、スリープモード解除処理（機能ブロック各々に対する通電を開始させる制御）を行う。
以下、図５及び図６に示すフローチャートを参照しつつ、ＮＩＣ５によるデータ受信に応じたスリープモード解除処理の手順について説明する。なお、以下に示すＳ１、Ｓ２、…は、処理手順（ステップ）の識別記号を表す。
【００３７】
［ステップＳ１、Ｓ２、Ｓ３］
まず、ＮＩＣ５の前記第１通電制御実行部は、外部装置３１からネットワーク３０を通じて新たなデータを受信したか否かを判別する（Ｓ１）。ＮＩＣ５の第１通電制御実行部は、外部装置３１から新たなデータを受信するまで、ステップＳ１の処理を繰り返す。
さらに、ＮＩＣ５の第１通電制御実行部は、外部装置３１から新たなデータを受信したと判別すると、その受信データが、機器情報処理要求００ｄであるか、Ｗｅｂページの送信要求であるか、その他のデータであるかを判別する（Ｓ２）。
ここで、ＮＩＣ５の第１通電制御実行部により、新たな受信データが、機器情報処理要求００ｄ及びＷｅｂページの送信要求のいずれでもない（その他のデータである）と判別されると、当該画像処理装置Ｘは、予め定められた制御ルールに従った処理（図中、"その他の処理"と表記）を実行し（Ｓ２０）、その後、前述したステップＳ１へ処理を戻す。
また、ＮＩＣ５の第１通電制御実行部により、新たな受信データが、Ｗｅｂページの送信要求であると判別された場合、Ｗｅｂサーバとして機能するＮＩＣ５は、要求に応じたＷｅｂページをネットワーク３０を通じて外部装置３１に対して送信（返信）し（Ｓ３）、その後、処理を後述するステップＳ５及びＳ６へ移行させる。ここで、このＮＩＣ５から外部装置３１に送信されるＷｅｂページは、前記機器情報処理要求（図７参照）に含める情報の入力用画面を外部装置３１の表示部に表示させるためのＷｅｂページ（情報入力用画面情報）である。このＷｅｂページは、ＨＴＭＬやＸＭＬ、ＪａｖａＳｃｒｉｐｔ（サン・マイクロシステムズ・インコーポレーテッドの登録商標）等により記述された画面表示用のコンテンツである。例えば、このＷｅｂページは、ＮＩＣ５のＲＯＭ６５やフラッシュメモリ６６に予め記憶されている。或いは、Ｗｅｂサーバとして機能するＮＩＣ５が、外部装置３１からの要求に応じて返信するＷｅｂページを生成してもよい。
一方、図５には示していないが、外部装置３１は、Ｗｅｂブラウザプログラムを実行することにより、画像処理装置Ｘに対して情報入力用のＷｅｂページの送信を求める要求（前記Ｗｅｂページの送信要求）を送信するとともに、ＮＩＣ５から返信されるＷｅｂページの内容に従った画面をその表示部に表示させる。さらに、外部装置３１は、表示部にＷｅｂページを表示させた状態で、キーボードやマウス等の入力手段を通じて情報の入力及び所定の送信操作が行われると、前記機器情報処理要求００ｄを画像処理装置Ｘに対して送信する。
このように、画像処理装置Ｘが備えるＮＩＣ５は、前記機器情報処理要求００ｄに含める情報の入力に用いるＷｅｂページを外部装置３１に対して送信する機能を有している。
［ステップＳ４］
一方、ステップＳ２において、新たな受信データが機器情報処理要求００ｄであると判別されると、ＮＩＣ５の第１通電制御実行部及びメイン制御部９の第２通電制御実行部が、機器情報処理要求時の通電制御処理（以下、通電制御処理Ｓ４という）を実行し（Ｓ４）、その後処理を後述するステップＳ５及びＳ６へ移行させる。
【００３８】
以下、図６に示すフローチャートを参照しつつ、通電制御処理Ｓ４の手順（Ｓ１００〜Ｓ１１５）について説明する。
［ステップＳ１００］
まず、ＮＩＣ５のＭＰＵ６３は、受信した機器情報処理要求の送信元である外部装置３１に対し、ネットワーク制御部６７を通じて、要求受付完了の応答（機器情報処理要求を受け付けた旨を表す情報）を送信する（受付完了応答手段の一例）。このように、ＮＩＣ５は、各制御部６〜９（機能ブロック）が"通電無し状態"であるときに外部装置３１から機器情報処理要求を受信した場合に、その要求に対応する処理の実行を待たずに、前記要求受付完了の応答を行う。
これにより、後述する処理において、機器情報処理要求に対応する処理に必要な制御部の起動に要する時間が長い場合でも、外部装置３１は、処理待ちの状態から早期に開放される。
［ステップＳ１０１、Ｓ１０２］
続いて、ＮＩＣ５の第１通電制御実行部は、機器情報処理要求００ｄの対象機器情報０４ｄを参照することにより、その機器情報処理要求００ｄが、ＮＩＣ５に関する機器情報の処理を求めるものであるか否かを判別する（Ｓ１０１）。なお、ＮＩＣ５に関する機器情報は、全てＮＩＣ５が備えるメモリ（ＲＯＭ６５又はフラッシュメモリ６６）に記憶されている。
このステップＳ１０１において、その機器情報処理要求００ｄが、ＮＩＣ５に関する機器情報の処理を求めるものであると判別された場合、ＮＩＣ５の第１通電制御実行部は、第１サブ電源２２１を"通電無し状態"から"通電有り状態"に切り替えることはしない。この場合、ＮＩＣ５は、その機器情報処理要求００ｄに応じた通常の処理を実行し（Ｓ１０２）、その後、処理を後述するステップＳ１１５へ移行させる。
即ち、ＮＩＣ５は、機器情報処理要求００ｄの前記要求の種類０３ｄが"送信"である場合には、ＮＩＣ５のメモリに記憶されている機器情報の中から、情報の項目０７ｄで指定されたものを特定し、これをネットワーク３０を通じて外部装置３１に送信する。また、ＮＩＣ５は、機器情報処理要求００ｄの前記要求の種類０３ｄが"設定"である場合には、ＮＩＣ５のフラッシュメモリ６６に記憶されている機器情報の中から、情報の項目０７ｄで指定されたものを特定し、これを設定情報０８ｄで指定された内容に設定（更新）する。
このように、ＮＩＣ５は、外部装置３１から受信された機器情報処理要求００ｄに応じて、機器情報をその外部装置３１に対して送信する機能と、ＮＩＣ５のフラッシュメモリ６６に記憶されている機器情報を更新する機能とを有する。
【００３９】
［ステップＳ１０３］
一方、ステップＳ１０１において、その機器情報処理要求００ｄが、ＮＩＣ５に関する機器情報の処理を求めるものではないと判別された場合、ＮＩＣ５の第１通電制御実行部は、自装置（当該画像処理装置Ｘ）の現在の状態を判別する処理を実行する（Ｓ１０３）。
例えば、ＮＩＣ５の第１通電制御実行部は、自装置の現在の状態として、ＮＩＣ５のフラッシュメモリ６６の空き容量や、前記第１のスリープ条件と前記第２のスリープ条件のいずれの条件の成立によって現在のスリープモードに移行したのか（スリープモードへの移行理由）、ＮＩＣ５のフラッシュメモリ６６に保持されているデータ処理要求の数、等について判別する。ここで、ＮＩＣ５の第１通電制御実行部は、ＮＩＣ５のフラッシュメモリ６６に記憶された前記スリープモード移行理由情報に基づいて、スリープモードへの移行の理由となったスリープ条件を判別する。
【００４０】
［ステップＳ１０４］
次に、ＮＩＣ５の第１通電制御実行部は、スリープモード中に受信した機器情報処理要求００ｄの内容（図７参照）と、ステップＳ１０３で判別した当該画像処理装置Ｘの状態とに基づく所定の電源制御ルールに従って、第１サブ電源２２１の通電要否（即ち、メイン制御部９、表示部２及び画像処理演算部４に対する通電要否）と、実行する処理とを判別する（Ｓ１０４）。
図９は、ＮＩＣ５の第１通電制御実行部における電源制御ルールの一例を表すものである。
図９に例示する電源制御ルールには、判断の対象となり得る自装置の状態の項目として、以下の各項目が設定されている。これら各項目は、ＮＩＣ５の第１通電制御実行部が、ステップＳ１０３の処理で判別する項目である。
（１）スリープモードへの移行の理由となったスリープ条件２０１ｄ
（２）ＮＩＣ５のフラッシュメモリ６６（要求記憶手段の一例）の空き容量２０２ｄ
（３）ＮＩＣ５のフラッシュメモリ６６に保持中の機器情報処理要求の数２０３ｄ
なお、スリープモードへの移行の理由となったスリープ条件２０１ｄは、前記週間スケジュールに従って各機能ブロックの通電状態を制御するウイークリータイマー制御によって現状のスリープモードに移行したのか否かという制御状態を表す情報の一例である。
【００４１】
さらに、図９に例示する電源制御ルールには、判断の対象となり得る機器情報処理要求の内容の項目として、以下の各項目が設定されている。ＮＩＣ５の第１通電制御実行部は、図７に示した機器情報処理要求００ｄの内容を参照することによってこれら各項目について判別し、その判別結果に基づいて通電制御を行う。
（１）送信者の権限３０１ｄ
この項目は、データ処理要求の送信者の権限を判別対象とする項目である。ここでは、ＮＩＣ５の第１通電制御実行部が、データ処理要求に含まれる送信者ＩＤ０１ｄと、ＮＩＣ５のフラッシュメモリ６６に予め記憶されたユーザ情報とに基づいて、送信者がノーマルユーザであるか、それより大きな権限を有するスーパーユーザであるかを判別する。
（２）即時処理の指定３０２ｄ
この項目は、機器情報処理要求００ｄの即時処理指定情報０５ｄにより即時処理が指定されているか否かを判別対象とする項目である。
（３）最新情報の要求指定３０３ｄ
この項目は、機器情報処理要求００ｄの最新情報取得指定情報０６ｄにより、最新の機器情報を対応する機器から取得して送信することを求める旨が指定されているか否かを判別対象とする項目である。
（４）複製機器情報との包含関係３０４ｄ
この項目は、機器情報処理要求００ｄの対象機器情報０４ｄ及び情報の項目０７ｄによって特定される機器情報が、ＮＩＣ５が他の機能ブロックから取得して記憶している前記複製機器情報に含まれるものであるか否か（"包含"か"非包含"か）を判別対象とする項目である。
（５）要求の種類３０５ｄ
この項目は、機器情報処理要求００ｄの要求の種類０３ｄの内容を判別対象とする項目である。即ち、機器情報処理要求００ｄが、機器情報の送信要求であるか、或いは設定要求であるかを判別対象とする項目である。
【００４２】
図９に例示する電源制御ルールは、当該画像処理装置Ｘの状態に関する各項目２０１ｄ〜２０３ｄの内容、及び機器情報処理要求００ｄの内容に関する各項目３０１ｄ〜３０５ｄの内容のアンド条件による組合せである単位ルール（図９における縦１列が、単位ルールを表す）ごとに、ルール番号４０１ｄ（Ｒ１、Ｒ２、…）と、第１サブ電源２２１の通電状態４０２ｄ（ＯＮ／ＯＦＦ）と、実行する処理４０３ｄとが設定されている。
また、ここで、第１サブ電源２２１の通電状態４０２ｄと、実行する処理４０３ｄとの組合せとしては、以下の３つのパターンが存在する。
その１つ目は、第１サブ電源２２１に通電を行わず（ＯＦＦ）、かつ、受信した機器情報処理要求００ｄをＮＩＣ５のフラッシュメモリに記録する（図中、"Ｈ"と表記）というパターンである。
２つ目は、第１サブ電源２２１に通電を行わず（ＯＦＦ）、かつ、受信した機器情報処理要求００ｄで指定されている機器情報に対応する前記複製機器情報（フラッシュメモリ内の情報）を外部装置３１に対して送信する（図中、"Ｉ"と表記）というパターンである。
３つ目は、第１サブ電源２２１に通電を行い（ＯＮ）、かつ、受信した機器情報処理要求００ｄをバス１１を通じてメイン制御部９に引き渡す（図中、"Ｊ"と表記）というパターンである。
なお、図８において、単位ルールにおける各項目のうち、その内容が設定されていない（升目が空欄である）ものは、その内容を参照しない項目であることを表す。
そして、ＮＩＣ５の第１通電制御実行部は、各単位ルールの条件が成立するか否かを、ルール番号４０１ｄに従って順番に（Ｒ１、Ｒ２、…、Ｒｎの順）判別し、最初に条件が成立した単位ルールに対応する第１サブ電源２２１の通電状態４０２ｄに従って、第１サブ電源２２１の通電要否を判別する。
なお、メイン制御部９は、操作部１及び表示部２を制御することにより、利用者が前記単位ルールの一部若しくは全部を設定可能とする電源制御ルール設定機能を備えている。この電源制御ルール設定機能により設定された電源制御ルールは、メイン制御部９からＮＩＣ５に伝送され、ＮＩＣ５のＭＰＵ６３がフラッシュメモリ６６に格納する。
【００４３】
図９に例示する電源制御ルールでは、スリープモードへの移行理由となったスリープ条件２０１ｄが前記第１のスリープ条件（ウィークリータイマー制御）であり、かつ、ＮＩＣ５のフラッシュメモリ６６の空き容量２０１ｄが所定サイズ以上であり、かつ、送信者の権限３０１ｄが"ノーマルユーザ"であり、かつ、要求の種類３０５ｄが"設定"である場合、ＮＩＣ５の第１通電制御実行部は、第１サブ電源２２１に通電を行わず、受信したデータ処理要求をＮＩＣ５のフラッシュメモリ６６に記録すべきと判別する（ルール番号Ｒ１）。
また、上記以外の場合であって、スリープ条件２０１ｄが前記第１のスリープ条件であり、かつ、ＮＩＣ５のフラッシュメモリ６６の空き容量２０１ｄが所定サイズ以上であり、かつ、送信者の権限３０１ｄが"スーパーユーザ"であり、かつ、即時処理の指定３０２ｄが"無し"であり、かつ、要求の種類３０５ｄが"設定"である場合も、ＮＩＣ５の第１通電制御実行部は、第１サブ電源２２１に通電を行わず、受信したデータ処理要求をＮＩＣ５のフラッシュメモリ６６に記録すべきと判別する（ルール番号Ｒ２）。
【００４４】
また、上記以外の場合であって、スリープ条件２０１ｄが前記第２のスリープ条件（入力無し状態の継続）であり、かつ、ＮＩＣ５のフラッシュメモリ６６の空き容量２０１ｄが所定サイズ以上であり、かつ、ＮＩＣ５のフラッシュメモリ６６に既に保持されている機器情報処理要求００ｄの数が所定個数未満であり、かつ、即時処理の指定３０２ｄが"無し"であり、かつ、要求の種類３０５ｄが"設定"である場合も、ＮＩＣ５の第１通電制御実行部は、第１サブ電源２２１に通電を行わず、受信したデータ処理要求をＮＩＣ５のフラッシュメモリ６６に記録すべきと判別する（ルール番号Ｒ３）。
また、上記以外の場合であって、最新情報の要求指定３０３ｄが"無し"であり、かつ、複製機器情報との包含関係３０４ｄが"包含"であり、かつ、要求の種類３０５ｄが"送信"である場合、ＮＩＣ５の第１通電制御実行部は、第１サブ電源２２１に通電を行わず（ＯＦＦ）、かつ、受信した機器情報処理要求００ｄで指定されている機器情報に対応する前記複製機器情報（フラッシュメモリ内の情報）を外部装置３１に対して送信すべきと判別する（ルール番号Ｒ４）。
そして、上記以外の場合は、ＮＩＣ５の第１通電制御実行部は、第１サブ電源２２１に通電を行い、受信した機器情報処理要求をメイン制御部９に引き渡すべきと判別する（ルール番号Ｒ５）。
以上に示した内容から、図９に例示する電源制御ルールは、ＮＩＣ５よりも下位の機能ブロックである各制御部６〜９が"通電無し状態"であるときに機器情報処理要求が受信された場合に、その機器情報処理要求をＮＩＣ５のフラッシュメモリ６６に記憶させる処理（図中、"Ｈ"と表記）を実行するか否かの判別に用いる条件が設定された情報であるといえる。ＮＩＣ５のＭＰＵ６３（第１通電制御部）は、この電源制御ルールとして予め設定された条件を判別することにより、受信した機器情報処理要求をフラッシュメモリ６６に記憶させるか否かを制御する（要求記憶制御手段の一例）。
このように、ＮＩＣ５は、外部装置と通信を行う通信手段であるとともに、受信した機器情報処理要求をフラッシュメモリ６６に記憶させる制御を行う手段も兼ねたものとして構成されている。
【００４５】
［ステップＳ１０５、Ｓ１０６、Ｓ１０７］
そして、ＮＩＣ５の第１通電制御実行部は、ステップＳ１０４において第１サブ電源２２１への通電は不要と判別した場合、そのステップＳ１０４で判別した処理を実行し（Ｓ１０５）、その後、処理を後述するステップＳ１１５へ移行させる。具体的には、ＮＩＣ５の第１通電制御実行部（ＭＰＵ６３）は、図９に示した電源制御ルールに従って、次の２つの処理のいずれかを実行する。
その１つは、受信した機器情報処理要求００ｄをＮＩＣ５のフラッシュメモリ６６に記憶させる処理である。即ち、ＮＩＣ５のＭＰＵ６３は、各制御部６〜９（情報保持機器の一例）が"通電無し状態"であるときに当該ＮＩＣ５により外部装置３１から機器情報処理要求が受信された場合に、その機器情報処理要求をフラッシュメモリ６６（要求記憶手段の一例）に記憶させる処理を実行する（要求記憶制御手段の一例）。
２つ目は、受信した機器情報処理要求００ｄで指定されている機器情報（対象機器情報０４ｄ及び情報の項目０７ｄにより特定される機器情報）に対応する前記複製機器情報（フラッシュメモリ内の情報）を外部装置３１に対して送信する処理である。
このように、ＮＩＣ５は、フラッシュメモリ６６に記憶された前記複製機器情報を外部装置３１に対して送信する機能を有している。この機能は、ＮＩＣ５のＭＰＵ６３が所定のプログラムを実行することにより実現される。
このステップＳ１０５でＮＩＣ５のフラッシュメモリ６６に記憶される機器情報処理要求００ｄは、当該画像処理装置Ｘがその機器情報処理要求００ｄに応じた処理を実行できる通電状態となった際（即ち、その機器情報処理要求００ｄに対応する機能ブロックが"通電有り状態"となった際）に、後述するステップＳ１１４において処理される。
一方、ＮＩＣ５の第１通電制御実行部は、ステップＳ１０４において第１サブ電源２２１への通電が必要と判別した場合、メイン通電切替回路１０を通じて自動切替スイッチ４１をＯＮにすることにより、第１サブ電源２２１に通電を行う（Ｓ１０６）。これにより、メイン制御部９、表示部２及び画像処理演算部４が"通電有り状態"となる。
さらに、ＮＩＣ５の第１通電制御実行部は、受信した機器情報処理要求００ｄと、ステップＳ１０３で判別した結果である自装置の状態とを、"通電有り状態"となったメイン制御部９に引渡す（Ｓ１０７）。
【００４６】
［ステップＳ１０８、Ｓ１０９］
次に、機器情報処理要求００ｄの引渡しを受けたメイン制御部９の前記第２通電制御実行部は、機器情報処理要求００ｄの対象機器情報０４ｄを参照することにより、その機器情報処理要求００ｄが、メイン制御部９に関する機器情報の処理を求めるものであるか否かを判別する（Ｓ１０８）。なお、メイン制御部９に関する機器情報は、全てメイン制御部９が備えるメモリ（ＲＯＭ７５又はフラッシュメモリ７６）に記憶されている。
このステップＳ１０８において、その機器情報処理要求００ｄが、メイン制御部９に関する機器情報の処理を求めるものであると判別された場合、メイン制御部９の第２通電制御実行部は、第２サブ電源２２１から第５サブ電源２２５を"通電無し状態"から"通電有り状態"に切り替えることはしない。この場合、メイン制御部９は、その機器情報処理要求００ｄに応じた通常の処理を実行し（Ｓ１０９）、その後、処理を後述するステップＳ１１５へ移行させる。即ち、メイン制御部９は、機器情報処理要求００ｄの前記要求の種類０３ｄが"送信"である場合には、メイン制御部９のメモリに記憶されている機器情報の中から、情報の項目０７ｄで指定されたものを特定してこれをＮＩＣ５に伝送し、ＮＩＣ５がそれをネットワーク３０を通じて外部装置３１に送信する。また、メイン制御部９は、機器情報処理要求００ｄの前記要求の種類０３ｄが"設定"である場合には、メイン制御部９のフラッシュメモリ７６に記憶されている機器情報の中から、情報の項目０７ｄで指定されたものを特定し、これを設定情報０８ｄで指定された内容に設定（更新）する。
さらに、このステップＳ１０９では、この時点で"通電有り状態"となっているメイン制御部９によって処理が可能な機器情報処理要求００ｄが、ＮＩＣ５のフラッシュメモリ６６に記憶されている場合、メイン制御部９のＭＰＵ７３が、その機器情報処理要求００ｄに応じた処理も併せて実行する。
即ち、前述したステップＳ１０５において、ＮＩＣ５のフラッシュメモリ６６（要求記憶手段の一例）に機器情報処理要求が記憶された後に、メイン制御部９が（情報保持機器の一例）が"通電有り状態"となった場合、このステップＳ１０９において、ＮＩＣ５のＭＰＵ６３は、フラッシュメモリ６６に記憶されている機器情報処理要求に対応する処理がメイン制御部９のＭＰＵ７３によって実行されるよう制御する（起動待ち制御手段の一例）。
より具体的には、ＮＩＣ５のＭＰＵ６３は、フラッシュメモリ６６に記憶されている機器情報処理要求００ｄのうち、メイン制御部９が"通電有り状態"となったことにより実行可能となったものを選択し、その選択した機器情報処理要求００ｄを、メイン制御部９に引き渡す。これにより、そのメイン制御部９のＭＰＵ７３は、引き渡された機器情報処理に応じた処理を実行する。
【００４７】
［ステップＳ１１０、Ｓ１１１］
一方、ステップＳ１０１において、その機器情報処理要求００ｄが、メイン制御部９に関する機器情報の処理を求めるものではないと判別された場合、メイン制御部９の第２通電制御実行部は、その時点におけるメイン制御部９の現在の状態を判別する処理を実行する（Ｓ１１０）。
例えば、メイン制御部９の第２通電制御実行部は、メイン制御部９のフラッシュメモリ７６の空き容量等について判別する。
さらに、メイン制御部９の前記第２通電制御実行部は、ＮＩＣ５から引き渡された機器情報処理要求００ｄ（即ち、スリープモード中に受信した機器情報処理要求００ｄ）の内容と、その時点での自装置の状態（ステップＳ１０３での判別結果と、ステップＳ１１０での判別結果とを含む）とに基づく所定の電源制御ルールに従って、第２サブ電源２２２から第５サブ電源２２５までの通電要否（即ち、ローカル制御部６〜８及びＨＤＤ３の各々に対する通電要否）と、実行する処理とを判別する（Ｓ１１１）。
なお、メイン制御部９の第２通電制御実行部も、機器情報処理要求００ｄの内容を参照することによって、ＮＩＣ５の第１通電制御実行部が判別する項目と同様の項目について判別し、その判別結果に基づいて通電制御を行う。
【００４８】
図１０は、メイン制御部９の第２通電制御実行部における電源制御ルールの一例を表すものである。
図１０に例示する電源制御ルールには、判断の対象となり得る自装置の状態の項目、及び機器情報処理要求００ｄの内容の項目として、図９に例示したＮＩＣ５の電源制御ルールと同様の項目に加え、対象機能ブロック３０６ｄという項目が設定されている。
この対象機能ブロック３０６ｄという項目は、処理対象となる機器情報が、いずれの機能ブロックに属する機器（部品）についてのものであるかを判別対象とする項目である。具体的には、メイン制御部９の第２通電制御実行部は、機器情報処理要求００ｄの対象機器情報０４ｄの内容に基づいて、対象機能ブロック３０６ｄが、スキャナ制御部６若しくはスキャナ部６ａであるか（図中、"ＳＣ"と表記）、プリント制御部７若しくはプリント部７ａであるか（図中"ＰＲ"と表記）、後処理制御部８若しくは後処理実行部８ａ〜８ｃであるか（図中"ＰＰ"と表記）、ＨＤＤ３であるか（図中"ＨＤ"と表記）を判別する。
なお、自装置の状態の項目のうち、フラッシュメモリの空き容量２０２ｄ及びフラッシュメモリに保持中のデータ処理要求の数２０３ｄについては、対象となるフラッシュメモリは、メイン制御部９のフラッシュメモリ７６である。また、単位ルール、ルール番号４０１ｄ、単位ルールの参照順序等についても、図９に例示したＮＩＣ５の電源制御ルールと同様である。
【００４９】
図１０に例示する電源制御ルールでは、図９に示したルール番号Ｒ１〜Ｒ４と同じ単位ルールが設定されている。
さらに、ルール番号Ｒ１〜Ｒ４の単位ルールに該当しない場合であって、対象機能ブロック３０６ｄが、スキャナ制御部６若しくはスキャナ部６ａである場合、メイン制御部９の第２通電制御実行部は、スキャナ制御部６の電源である第２サブ電源２２２にのみ通電を行い、その機器情報処理要求００ｄに応じた通常の処理（前記通常モードである場合と同じ処理）を実行すべきと判別する（ルール番号Ｒ５）。
また、上記以外の場合であって、対象機能ブロック３０６ｄが、プリント制御部７若しくはプリント部７ａである場合、メイン制御部９の第２通電制御実行部は、プリント制御部７の電源である第３サブ電源２２３にのみ通電を行い、その機器情報処理要求００ｄに応じた通常の処理を実行すべきと判別する（ルール番号Ｒ６）。
また、上記以外の場合であって、対象機能ブロック３０６ｄが、後処理制御部８若しくは後処理実行部８ａ〜８ｃである場合、メイン制御部９の第２通電制御実行部は、後処理制御部８の電源である第４サブ電源２２４にのみ通電を行い、その機器情報処理要求００ｄに応じた通常の処理を実行すべきと判別する（ルール番号Ｒ７）。
また、上記以外の場合であって、対象機能ブロック３０６ｄが、ＨＤＤ３である場合、メイン制御部９の第２通電制御実行部は、ＨＤＤ３の電源である第５サブ電源２２５にのみ通電を行い、その機器情報処理要求００ｄに応じた通常の処理を実行すべきと判別する（ルール番号Ｒ８）。
以上に示した内容から、図１０に例示する電源制御ルールは、メイン制御部９よりも下位の機能ブロックである各ローカル制御部６〜８が"通電無し状態"であるときに機器情報処理要求が受信された場合に、その機器情報処理要求をメイン制御部９のフラッシュメモリ７６に記憶させる処理（図中、"Ｈ"と表記）を実行するか否かの判別に用いる条件が設定された情報であるといえる。メイン制御部９のＭＰＵ７３は、この電源制御ルールとして予め設定された条件を判別することにより、ＮＩＣ５が受信した機器情報処理要求をフラッシュメモリ７６に記憶させるか否かを制御する（要求記憶制御手段の一例）。
なお、前記電源制御ルール設定機能により、図１０に示す単位ルールの内容の変更及び追加も可能である。
【００５０】
［ステップＳ１１２、Ｓ１１３］
そして、メイン制御部９の第２通電制御実行部は、ステップＳ１１１において第２サブ電源２２２から第５サブ電源２２５のいずれにも通電は不要と判別した場合、そのステップＳ１１１で判別した処理を実行し（Ｓ１１２）、その後、処理を後述するステップＳ１１５へ移行させる。具体的には、メイン制御部９の第２通電制御実行部は、図１０に示した電源制御ルール（Ｒ１〜Ｒ４）に従って、次の２つの処理のいずれかを実行する。
その１つは、受信した機器情報処理要求００ｄをメイン制御部９のフラッシュメモリ７６に記憶させる処理である。即ち、メイン制御部９の第２通電制御実行部は、各ローカル制御部６〜８（情報保持機器の一例）が"通電無し状態"であるときにＮＩＣ５により外部装置３１から機器情報処理要求が受信された場合に、その機器情報処理要求をフラッシュメモリ７６（要求記憶手段の一例）に記憶させる処理を実行する（要求記憶制御手段の一例）。
２つ目は、受信した機器情報処理要求００ｄで指定されている機器情報（対象機器情報０４ｄ及び情報の項目０７ｄにより特定される機器情報）に対応する前記複製機器情報（フラッシュメモリ内の情報）を外部装置３１に対して送信する処理である。
このステップＳ１１２でメイン制御部９のフラッシュメモリ７６に記憶される機器情報処理要求００ｄは、当該画像処理装置Ｘがその機器情報処理要求００ｄに応じた処理を実行できる通電状態となった際（即ち、その機器情報処理要求００ｄに対応する機能ブロックが"通電有り状態"となった際）に、後述するステップＳ１１４において処理される。
一方、メイン制御部９の第２通電制御実行部は、ステップＳ１１１において第２サブ電源２２２から第５サブ電源２２５のいずれかに対する通電が必要と判別した場合、自動切替スイッチ４２〜４５のいずれかをＯＮにすることにより、第２サブ電源２２２から第５サブ電源２２５のうち通電が必要と判別したものに対して通電を行う（Ｓ１１３）。これにより、ローカル制御部６〜８及びＨＤＤ３のうち、機器情報処理要求００ｄに応じた通常の処理を実行するために必要なもののみが"通電有り状態"となる。
【００５１】
［ステップＳ１１４］
次に、"通電有り状態"となったローカル制御部６〜８は、その機器情報処理要求００ｄに応じた通常の処理を実行し（Ｓ１１４）、その後、処理を後述するステップＳ１１５へ移行させる。即ち、機器情報処理要求００ｄの前記要求の種類０３ｄが"送信"である場合には、"通電有り状態"となったローカル制御部６〜８は、そのメモリに記憶されている機器情報の中から、情報の項目０７ｄで指定されたものを特定し、その特定した機器情報をバス１１を通じてＮＩＣ５に伝送する。さらにＮＩＣ５が、ローカル制御部６〜８から取得した機器情報をネットワーク３０を通じて外部装置３１に送信する。このように、ＮＩＣ５は、ＮＩＣ５の第１通電制御実行部やメイン制御部９の第２通電制御実行部によって"通電無し状態"から"通電有り状態"へ切り替えられた機能ブロックから機器情報を取得し、その機器情報を外部装置３１に対して送信する機能を有している。
一方、機器情報処理要求００ｄの前記要求の種類０３ｄが"設定"である場合には、"通電有り状態"となったローカル制御部６〜８は、そのメモリに記憶されている機器情報の中から、情報の項目０７ｄで指定されたものを特定し、これを設定情報０８ｄで指定された内容に設定（更新）する。
さらに、このステップＳ１１４では、この時点で"通電有り状態"となっている機能ブロックによって処理が可能な機器情報処理要求００ｄが、ＮＩＣ５のフラッシュメモリ６６又はメイン制御部９のフラッシュメモリ７６のいずれかに記憶されている場合、その機器情報処理要求００ｄに応じた処理も併せて実行される。
即ち、前述したステップＳ１０５又はＳ１１２において、ＮＩＣ５のフラッシュメモリ６６又はメイン制御部９のフラッシュメモリ７６（要求記憶手段の一例）に機器情報処理要求が記憶された後に、メイン制御部９又は各ローカル制御部６〜８が（情報保持機器の一例）が"通電有り状態"となった場合、このステップＳ１１４において、ＮＩＣ５のＭＰＵ６３又はメイン制御部９のＭＰＵ７３は、フラッシュメモリ６６、７６に記憶されている機器情報処理要求に対応する処理が制御部６〜９のＭＰＵ７３によって実行されるよう制御する（起動待ち制御手段の一例）。
より具体的には、ＮＩＣ５のＭＰＵ６３又はメイン制御部９のＭＰＵ７３は、フラッシュメモリ６６又は７６に記憶されている機器情報処理要求００ｄのうち、下位の制御部（メイン制御部９又は各ローカル制御部６〜８）が"通電有り状態"となったことにより実行可能となったものを選択し、その選択した機器情報処理要求００ｄを、下位の制御部（メイン制御部９又は各ローカル制御部６〜８）に引き渡す。これにより、その下位の制御部６〜８のＭＰＵ７３は、引き渡された機器情報処理に応じた処理を実行する。
但し、このステップＳ１１４において処理される機器情報処理要求（新たに受信したものと、フラッシュメモリに記憶されているものとの両方を含む）に、設定要求と送信要求とが混在する場合、まず、設定要求に対応する処理が実行され、その後、送信要求に対応する処理が実行される。これにより、設定要求に応じて外部装置３１に送信される機器情報が、最新の情報となる。
【００５２】
［ステップＳ１１５］
最後に、ステップＳ１１５では、ＮＩＣ５のフラッシュメモリ６６及びメイン制御部９のフラッシュメモリ７６のいずれかに記憶されている機器情報処理要求００ｄのうち、ステップＳ１０９及びステップＳ１１４において通常処理の対象となったものが存在する場合、ＮＩＣ５のＭＰＵ６３或いはメイン制御部９のＭＰＵ７３は、各フラッシュメモリ６６、７６から消去し（Ｓ１１５）、その後、通電制御処理Ｓ４を終了させる。
以上に示したステップＳ１００〜Ｓ１１５の処理が、通電制御処理Ｓ４である。
【００５３】
図４に示した処理の内容から、以下のことがいえる。
まず、ＮＩＣ５の第１通電制御部及びメイン制御部９の第２通電制御部は、各制御部６〜９（機能ブロック）が"通電無し状態"である場合（スリープモード中）に、ＮＩＣ５により外部装置３１から受信された機器情報処理要求に対応する処理（機器情報の設定や送信）を実行するために必要な制御部６〜９（機能ブロック）を判別するものであるといえる。
例えば、ＮＩＣ５の第１通電制御部は、ステップＳ１０１で実行する判別処理と、ステップＳ１０４においてルール番号Ｒ４の制御ルール（図９）に基づき実行する判別処理により、受信した機器情報処理要求を処理するために、少なくともメイン制御部９が必要であるか否かを判別している。このように、ＮＩＣ５は、外部装置と通信を行う通信手段であるとともに、受信した機器情報処理要求の処理に必要な機能ブロックを判別する手段を兼ねたものとして構成されている。
同様に、メイン制御部９の第２通電制御部は、ステップＳ１０８で実行する判別処理と、ステップＳ１１１においてルール番頭Ｒ５〜Ｒ８の制御ルール（図１０）に基づき実行する判別処理により、受信した機器情報処理要求を処理するために、各ローカル制御部６〜８のいずれが必要であるか、或いはいずれも必要でないかを判別している。
そして、ＮＩＣ５の第１通電制御部及びメイン制御部９の第２通電制御部は、ステップＳ１０６、Ｓ１１３において、必要と判別した制御部（機能ブロック）のみを、自動切替スイッチ４１〜４９（通電切替手段の一例）を制御することによって自動的に"通電有り状態"に切り替える。このように、ＮＩＣ５は、通信手段と、メイン制御部９を自動的に"通電有り状態"に切り替える手段とを兼ねたものとなっている。
【００５４】
また、ＮＩＣ５の第１通電制御部及びメイン制御部９の第２通電制御部は、各制御部６〜９（機能ブロック）が"通電無し状態"であるときに外部装置３１から機器情報処理要求が受信された場合に、図９及び図１０に示す制御ルールに基づいて、各制御部６〜９に対する通電要否を判別するものである。
さらに、ＮＩＣ５の第１通電制御部及びメイン制御部９の第２通電制御部は、その通電要否の判別結果に応じて、次に示す２つの処理のうちいずれを実行するかの切り替え制御を行うものである。
その１つは、ステップＳ１０５又はＳ１１２で実行される処理、即ち、受信した機器情報処理要求を、即座には処理せずに、ＮＩＣ５のフラッシュメモリ６６やメイン制御部９のフラッシュメモリ７６に記憶させる処理（図中、"Ｈ"と表記）である。
２つ目は、ステップＳ１０６〜Ｓ１０９又はステップＳ１１３〜Ｓ１１４で実行される処理、即ち、受信した機器情報処理要求に対応する処理を、その処理に必要な制御部（機能ブロック）のみ、即ち、ステップＳ１０４、Ｓ１１１で通電が必要と判別された制御部のみに通電を行った上で実行する処理（図中、"Ｋ"と表記）である。
【００５５】
［ステップＳ５、Ｓ６］
一方、外部装置３１に対するＷｅｂページの送信処理（Ｓ３）、或いは機器情報処理要求時の通電制御処理（Ｓ４）が実行された後、ＮＩＣ５は、外部装置３１からネットワーク３０を通じて新たなデータを受信したか否かを判別する（Ｓ５）。ここで、ＮＩＣ５が外部装置３１からネットワーク３０を通じて新たなデータを受信した場合は、前述したステップＳ２に処理が戻され、受信したデータについて前述したステップＳ２以降の処理が実行される。
一方、ＮＩＣ５が新たなデータを受信しなかった場合は、当該画像処理装置Ｘは、前述した通電停止の基本動作に従って、各機能ブロックに対する通電が遮断された状態であるスリープモードに移行し（Ｓ６）、その後、前述したステップＳ１に処理が戻される。
即ち、ＮＩＣ５の第１通電制御部及びメイン制御部９の第２通電制御部は、ステップＳ１０６、Ｓ１１３において"通電有り状態"となった制御部を、ＮＩＣ５により受信された機器情報処理要求に対応する処理が実行された後に、このステップＳ６において、自動切替スイッチ４１〜４９（通電切替手段の一例）を制御することによって再び元の"通電無し状態"に切り替える。このように、ＮＩＣ５は、通信手段と、メイン制御部９を元の"通電有り状態"に切り替える手段とを兼ねたものとなっている。
以上に示したように、画像処理装置Ｘは、機能に応じて区分された複数の機能ブロック３、６〜９、６ａ、７ａ、８ａ〜８ｃ各々に対して個別に通電するか否かの制御を行う。そして、画像処理装置Ｘは、スリープモード（省電力状態）であるときに、外部装置３１からＮＩＣ５を通じて受信した機器情報処理要求００ｄの内容や自装置の状態に応じて、必要最小限の機能ブロックのみが"通電有り状態"となるように制御する。その結果、従来よりも電力消費を抑えることができる。
【００５６】
また、画像処理装置Ｘは、図９及び図１０に例示する制御ルールに従って通電制御を行うことにより、以下のような特徴を有するものとなる。
例えば、即時処理指定３０２ｄが"無し"であることを必要条件とするルール番号Ｒ２、Ｒ３の両単位ルールは、そのデータ処理を即時に実行すべき要求ではないことを判別するルールである。
従って、ＮＩＣ５の第１通電制御実行部及びメイン制御部９の第２通電制御実行部（以下、これらを併せて通電制御実行部と称する）は、ルール番号Ｒ２、Ｒ３の単位ルールに従うことにより、ＮＩＣ５により受信された機器情報処理要求００ｄの内容が、その処理を即時に実行すべき要求ではないと判別した場合に、その機器情報処理要求をＮＩＣ５のフラッシュメモリ６６やメイン制御部９のフラッシュメモリ７６に記憶させる処理（Ｓ１０５、Ｓ１１２）を行うものである。
【００５７】
その後、新たな機器情報処理要求００ｄが受信され、ＮＩＣ５のフラッシュメモリ６６及びメイン制御部９のフラッシュメモリ７６に、所定数以上の個数の聞き情報処理要求００ｄが記憶されるという条件や、その機器情報処理要求００ｄを記憶するフラッシュメモリの残り容量が所定サイズ未満となったという条件が成立した場合には、ルール番号Ｒ２、Ｒ３の単位ルールは適用されず、ルール番号Ｒ５の単位ルールが適用される。このルール番号Ｒ５の単位ルールが適用されると、前記通電制御実行部は、フラッシュメモリ６６、７６に記憶させたデータ処理要求に対応する機能ブロックを、"通電無し状態"から"通電有り状態"に切り替え（Ｓ１０６、Ｓ１１３）、さらに、"通電有り状態"となった機能ブロックが、その機器情報処理要求００ｄに対応する処理を実行する（Ｓ１１４）。
このように、前記通電制御実行部は、スリープモード中に複数の機器情報処理要求００ｄを受け付けて記憶手段に記憶させた後に、所定の条件（通電開始条件）が成立した際に、それらに対応する機能ブロックを"通電無し状態"から"通電有り状態"に切り替える。即ち、前記通電制御実行部は、自動切替スイッチ４１〜４９を制御することにより、"通電無し状態"の機能ブロックのいずれをどのようなタイミングで"通電有り状態"にするかを制御する。これにより、記憶手段に記憶された複数の機器情報処理要求００ｄがまとめて処理されるので、機能ブロックに対する通電頻度が減り、画像処理装置Ｘの消費電力が抑えられる。
なお、図９及び図１０に例示した制御ルールの他、前記通電制御実行部がフラッシュメモリ６６、７６に記憶させた機器情報処理要求００ｄに対応する処理を開始する条件としては、例えば、フラッシュメモリ６６、７６に記憶された機器情報処理処理要求のデータサイズの合計が所定サイズ以上になったという条件や、フラッシュメモリ６６、７６に１つ目の機器情報処理要求００ｄが記憶されてから所定時間が経過したという条件等も考えられる。
【００５８】
また、前記通電制御部は、機器情報処理要求００ｄの送信者の権限３０１ｄに応じて、通電制御の内容を変えることができるので、利用者の権限に応じた柔軟な通電制御が可能となる。
また、前記通電制御部は、制御ルールの設定内容に応じて、当該画像処理装置Ｘが、ＮＩＣ５を通じて受信した機器情報処理要求００ｄの内容に応じた処理を実行できる状態となるまで、機能ブロックを上位のものから下位のものへ順に"通電有り状態"に切り替える制御が可能である。
例えば、機器情報処理要求００ｄの処理対象とする機器情報がメイン制御部９に関する機器情報である場合、前記通電制御部は、最上位の階層のメイン制御部９のみを"通電有り状態"に切り替え、メイン制御部９がその機器情報処理要求００ｄに応じた通常の処理を実行する。
一方、機器情報処理要求００ｄの処理対象とする機器情報がプリント制御部７に関する機器情報である場合、前記通電制御部は、最上位の階層のメイン制御部９からその下位の階層のプリント制御部７までを"通電有り状態"に切り替え、プリント制御部７がその機器情報処理要求００ｄに応じた通常の処理を実行する。このような制御により、必要最小限の機能ブロックのみを"通電無し状態"から"通電有り状態"へ切り替えることができ、電力消費を最小限に抑えることができる。
【００５９】
ところで、図４に電源系統図を示したように、各機能ブロックに対する電源の接続関係の第１実施例では、前記階層的通電制御処理によって各機能ブロックの通電状態を切り替える制御手段が、ＮＩＣ５の第１通電制御実行部と、各制御部６〜９の第２通電制御実行部とに分散して構成されたものであった。
しかしながら、スリープモード中も通電された状態にあるＮＩＣ５が、全ての機能ブロック３、６〜９、７ａ、８ａ〜８ｃに対する通電制御を行うことにより、前記階層的通電制御処理を行うよう構成した実施例も考えられる。
図１１は、画像処理装置Ｘにおける電源の接続関係の第２実施例を表す電源系統図である。この第２実施例の構成を備えた画像処理装置Ｘでは、ＮＩＣ５が前記階層的通電制御処理を行う。
図１１に示すように、ＮＩＣ５は、図４に示した前記メイン通電切替回路１０に相当する通電切替回路１０ａを通じて、全ての自動切替スイッチ４１〜４９に対して個別に制御信号を出力する。
この第２実施例の場合、ＮＩＣ５のＭＰＵ６３が、所定の制御プログラムを実行することにより、図９及び図１０に示した制御ルールに従って、第１サブ電源２２１から第５サブ電源２２５の通電制御を行う。この場合、ＮＩＣ５は、各機能ブロックに対する通電制御を実行する手段の全部を兼ねたものとなる。
このような構成も、本発明の実施例の１つである。
【産業上の利用可能性】
【００６０】
本発明は、画像処理装置への利用が可能である。
【図面の簡単な説明】
【００６１】
【図１】本発明の実施形態に係る画像処理装置Ｘの概略構成を表すブロック図。
【図２】画像処理装置Ｘが備えるＮＩＣの概略構成を表すブロック図。
【図３】画像処理装置Ｘが備える制御部の概略構成を表すブロック図。
【図４】画像処理装置Ｘにおける電源の接続関係の第１実施例を表す電源系統図。
【図５】画像処理装置Ｘのデータ受信に応じたスリープモード解除処理の手順を表すフローチャート。
【図６】画像処理装置Ｘの機器情報処理要求受信時のスリープモード解除処理の手順を表すフローチャート。
【図７】機器情報処理要求のデータ構成の一例を表す図。
【図８】画像処理装置Ｘにおけるウィークリータイマ制御の週間スケジュールを模式的に表した図。
【図９】画像処理装置ＸにおけるＮＩＣの電源制御ルールの一例を表す図。
【図１０】画像処理装置Ｘにおける制御部の電源制御ルールの一例を表す図。
【図１１】画像処理装置Ｘにおける電源の接続関係の第２実施例を表す電源系統図。
【符号の説明】
【００６２】
１…操作部
２…表示部
３…ハードディスクドライブ
４…画像処理演算部
５…ネットワークインターフェースカード
６…スキャナ制御部
６ａ…スキャナ部
７…プリント制御部
７ａ…プリント部
８…後処理制御部
８ａ…シフター
８ｂ…パンチャー
８ｃ…ステイプラー
９…メイン制御部
１０…メイン通電切替回路
１０ａ…通電切替回路
１１…バス
２１…メイン電源
２２（２２１〜２２９）…サブ電源
３０…ネットワーク
３１…外部装置
４０…手動切替スイッチ
４１〜４９…自動切替スイッチ
６１、７１…バスコネクタ
６２、７２…バス制御部
６３、７３…マイクロプロセッサユニット
６４、７４…メモリ制御部
６５、７５…ＲＯＭ
６６、７６…フラッシュメモリ
６７…ネットワーク制御部
６８…ネットワークコネクタ
６９…計時部
７７…Ｉ／Ｏポート
Ｓ１、Ｓ２、、、…処理手順の識別記号
【図１】
2007267235.tif 000003
【図２】
2007267235.tif 000004
【図３】
2007267235.tif 000005
【図４】
2007267235.tif 000006
【図５】
2007267235.tif 000007
【図６】
2007267235.tif 000008
【図７】
2007267235.tif 000009
【図８】
2007267235.tif 000010
【図９】
2007267235.tif 000011
【図１０】
2007267235.tif 000012
【図１１】
2007267235.tif 000013